(57)【要約】【課題】場所や時間に関係なく、電力系統の解析結果を利用者に提供する。【解決手段】本発明の系統解析サービス提供システムによれば、利用者側の端末装置から送信された電力系統を解析するための解析情報を受信するコンテンツ選択入力部５０と、当該受信された解析情報を用いて電力系統の解析を実行する解析シミュレーション実行部７３と、当該解析結果を送信するデータ送信部９２とを備えて構成する。【選択図】    図１
2004173337.tif 000002
【特許請求の範囲】
【請求項１】
利用者の有する電力系統の解析結果を前記利用者側の端末装置に、通信ネットワークを介して提供する系統解析サービス提供システムであって、
前記利用者側の端末装置から送信された前記電力系統を解析するための解析情報を受信する解析情報受信手段と、
前記解析情報受信手段により受信された解析情報を用いて前記電力系統の解析を実行する解析実行手段と、
前記解析実行手段による解析結果を送信する解析結果送信手段と
を備えたことを特徴とする系統解析サービス提供システム。
【請求項２】
請求項１に記載の系統解析サービス提供システムにおいて、
電力系統の複数の問題点に対する回答の組と、前記回答の組に対応する所定のキーワードとが対応して記憶された問題分析テーブルと、
前記利用者側の端末装置から送信された、前記電力系統に関する問題点に対する回答の組を受信する問題情報受信手段と、
前記問題情報受信手段により受信された回答の組に該当する所定のキーワードを前記問題分析テーブルから読出すキーワード読出し手段と、
前記キーワード読出し手段により読出されたキーワードに対応する解析ツールに関する情報を送信するツール情報送信手段と
をさらに備えたことを特徴とする系統解析サービス提供システム。
【請求項３】
請求項１に記載の系統解析サービス提供システムにおいて、
複数の解析プランに対応した解析内容が記憶された解析内容記憶手段と、
前記利用者側の端末装置から、予め提示された複数の解析プランの選択を促す手段と、
前記利用者側の端末装置により選択された解析プランに対応する解析内容を前記解析内容記憶手段から読出す解析内容読出し手段と、
前記解析内容読出し手段により読出された解析内容を送信する解析内容送信手段と
をさらに備えたことを特徴とする系統解析サービス提供システム。
【請求項４】
請求項１に記載の系統解析サービス提供システムにおいて、
電力系統の解析に必要な解析情報が記憶された解析情報記憶手段と、
前記利用者側の端末装置から前記電力系統の解析を行うための解析情報の補足要求があるか否かを判定する補足要求判定手段と、
前記補足要求判定手段による判定の結果、補足要求があると判定された場合に、前記解析情報受信手段により受信された解析情報に、前記解析情報記憶手段から読出した解析情報を補足する解析情報補足手段と
をさらに備えたことを特徴とする系統解析サービス提供システム。
【請求項５】
請求項１に記載の系統解析サービス提供システムにおいて、
電力系統の複数の問題点に対する回答の組と、前記回答の組に対応する所定のキーワードとが対応して記憶された問題分析テーブルと、
前記利用者側の端末装置から送信された、前記電力系統に関する問題点に対する回答の組を受信する問題情報受信手段と、
前記問題情報受信手段により受信された回答の組に該当する所定のキーワードを前記問題分析テーブルから読出すキーワード読出し手段と、
前記キーワード読出し手段により読出されたキーワードに対応する解析ツールに関する情報を送信するツール情報送信手段と、
電力系統の解析に必要な解析情報が記憶された解析情報記憶手段と、
前記利用者側の端末装置から前記電力系統の解析を行うための解析情報の補足要求があるか否かを判定する補足要求判定手段と、
前記補足要求判定手段による判定の結果、補足要求があると判定された場合に、前記解析情報受信手段により受信された解析情報に、前記解析情報記憶手段から読出した解析情報を補足する解析情報補足手段と、
前記解析情報補足手段により補足された解析情報を送信する解析情報送信手段と、
複数の解析プランに対応した解析内容が記憶された解析内容記憶手段と、
前記利用者側の端末装置から、予め提示された複数の解析プランの選択を促す手段と、
前記利用者側の端末装置により選択された解析プランに対応する解析内容を前記解析内容記憶手段から読出す解析内容読出し手段と、
前記解析内容読出し手段により読出された解析内容を送信する解析内容送信手段と
を備えたことを特徴とする系統サービス提供システム。
【請求項６】
利用者側の端末装置から通信ネットワークを介して送信された要求に基づいて、前記利用者の所有する電力系統の解析結果を、送信元の端末装置に提供する系統解析サービス提供システムであって、
前記利用者側の端末装置から送信された要求を受信し、当該要求の種別を判定する要求判定手段と、
前記要求判定手段により要求が電力系統の解析に関するものであると判定された場合、前記利用者の有する電力系統を解析するための解析情報の入力を受け付ける解析情報入力受付手段と、
前記解析情報入力受付手段により受け付けられた解析情報を用いて電力系統の解析を実行する系統解析実行手段と、
前記系統解析実行手段による解析の実行結果を送信元の端末装置に送信する解析結果送信手段とを備えたことを特徴とする系統解析サービス提供システム。
【請求項７】
利用者の有する電力系統の解析結果を前記利用者側の端末装置に、通信ネットワークを介して提供する系統解析サービス提供方法であって、
利用者をシステム利用者として登録する顧客情報処理プロセスと、
系統解析を実行するために、利用者が入力した情報を用いて解析用データを定義・設定する解析用データ設定プロセスと、
利用者が要求する解析条件で電力系統解析を実行する解析実行プロセスと、
解析結果を利用者の要求する形に加工して提供する解析結果提供プロセスと、
前記複数のプロセスを利用者が選択して実行する機能選択プロセスと
を含むことを特徴とする系統解析サービス提供方法。
【請求項８】
請求項７に記載の系統解析サービス提供方法において、
前記利用者の抱えている電力系統に関する問題や課題を入力させ、その問題や課題を分析して適切な解析ツールを選定するための系統解析に関する情報を抽出し、利用者にその情報を提示する問題分析プロセスと、
前記解析実行プロセスに、前記問題分析プロセスで得た情報をもとにして解析ツールを選定し解析ツールが格納された媒体から当該解析ツールを引き出す系統解析ツール選定プロセスと
をさらに含むことを特徴とする系統解析サービス提供方法
【請求項９】
請求項７に記載の系統解析サービス提供方法において、
複数の系統解析プランの中から利用者が必要とする解析プランを選択し、選択した解析プランに関する情報を利用者に提示する解析プラン決定プロセスを
さらに含むことを特徴とする系統解析サービス提供方法
【請求項１０】
請求項７に記載の系統解析サービス提供方法において、
前記解析用データ設定プロセスに、前記利用者が入力した解析用データに不足データがある場合に系統解析が可能なデータとするために適切にデータを補足する入力データ補足実行プロセスと、
補足したデータの内容を利用者に提示し、その良否を確認する入力データ補足情報提示プロセスとをさらに含むことを特徴とする系統解析サービス提供方法
【請求項１１】
請求項７に記載の系統解析サービス提供方法において、
利用者の抱えている電力系統に関する問題や課題を入力させ、その問題や課題を分析して適切な解析部や解析ツールを選定するための系統解析に関する情報を抽出し、利用者にその情報を提示する問題分析プロセスと、
複数の系統解析プランの中から利用者が必要とする解析プランを選択し、選択した解析プランに関する情報を利用者に提示する解析プラン決定プロセスと、
解析用データ設定プロセスに、利用者が入力した解析用データに不足データがある場合に系統解析が可能なデータとするために適切にデータを補足する入力データ補足実行プロセスと、
補足したデータの内容を利用者に提示し、その良否を確認する入力データ補足情報提示プロセスと、
前記解析実行プロセスに、前記問題分析プロセスで得た情報をもとにして解析ツールを選定し、解析ツールが格納された媒体から当該解析ツールを引き出す系統解析ツール選定プロセスと
をさらに含むことを特徴とする系統解析サービス提供方法。
【請求項１２】
利用者の有する電力系統の解析結果を前記利用者側の端末装置に、通信ネットワークを介して提供する系統解析サービス提供システムのコンピュータにインストールされたプログラムが記録された記録媒体であって、
前記系統解析サービス提供システムのコンピュータを
利用者がシステム利用者として登録し、顧客情報や解析に必要な複数の情報をシステムに入力し、あるいは電力系統解析に関係する複数の情報をシステムから引き出すための要求事項を入力する利用者情報受信手段、
利用者が入力した電力系統解析に関係する複数の情報を受け付け、分類し、情報種類に応じて次処理へ情報を送り、また、利用者から要求のあった情報を情報格納部から引き出し提示する情報受付・提示手段、
利用者から入力された顧客情報や解析に必要な複数の情報、電力系統解析に関係する複数の情報および電力系統解析結果の情報を格納する情報格納手段、
電力系統解析で用いる解析手法の選択、系統解析の実行、解析結果の評価等を実行する解析・評価実行手段、
利用者が閲覧あるいは入手したい電力系統解析に関する情報を整然と表示する情報送信手段
として機能させるプログラムを記録したコンピュータ読み取り可能な記録媒体。
【請求項１３】
利用者の有する電力系統の解析結果を前記利用者側の端末装置に、通信ネットワークを介して提供する系統解析サービス提供システムのコンピュータにインストールされたプログラムが記録された記録媒体であって、
前記系統解析サービス提供システムのコンピュータに
利用者がシステム利用者として登録する顧客情報を処理する顧客情報処理プロセス、
利用者が抱える問題と課題を分析する問題分析プロセス、
選択した解析プランの実行に関する情報を抽出し提示する解析プラン決定プロセス、
解析を実行するために利用者が入力した情報を用いて解析用データを定義・設定する解析用データ設定プロセス、
利用者が要求する解析条件で電力系統解析を実行する解析実行プロセス、
解析結果を利用者の要求する形に加工して提供する解析結果提供プロセス
を実行させるためのプログラムを記録したコンピュータ読み取り可能な記録媒体。
【発明の詳細な説明】
【０００１】
【発明の属する技術分野】
本発明は、利用者が有する電力系統の解析結果を、通信ネットワークを介して利用者側の端末装置に送信する系統解析サービス提供システム、方法、およびプログラムを記録した記録媒体に関する。
【０００２】
【従来の技術】
電力系統の解析は、専用の解析プログラムで行われるので、比較的簡単な系統解析であっても、メーカや専門家に依頼することが多い。従来の電力系統の解析は、電話又はＦＡＸ若しくは特許文献１に記載された専用回線を用いて専門家に解析に必要な系統解析用のデータを伝達し、伝達した系統解析用データに基づいて専門家が決定した内容に沿って行われている。
【０００３】
【特許文献１】
特開２００２−６９３７号公報
【０００４】
【発明が解決しようとする課題】
しかしながら、この種の手法で電力系統の解析を行う場合、専門家に伝達する系統解析用データの収集に時間を費やし、最終的な結果報告を受けるまでに数ヶ月という多大な時間を必要としていた。また、専門家への依頼ということもあり、１件の解析依頼に多額の費用がかかっていた。依頼者自らが電力系統の解析を行う部門あるいは人材を用意するためには、さらに多額の投資が必要である。また、電力系統の解析を行う場合、送電網や電力機器等の設備データを集め、解析用のデータを作成する作業が煩雑であり、系統解析を必要とする事業者、個人に多大な労力がかかっていた。
【０００５】
そこで本発明は、上記事情に考慮してなされたもので、場所や時間に関係なく、系統の解析結果を利用者に提供することが可能な系統解析サービス提供システム、方法、およびプログラムを記録した記録媒体を提供することを目的とする。
【０００６】
【課題を解決するための部】
本発明の主旨は、利用者の電力系統の解析結果に関する情報を通信ネットワークを介して提供する構成により、場所や時間に関係なく、電力系統の解析結果を利用者に提供するという効果を達成することにある。
【０００７】
なお、本明細書に記載の利用者とは、電力会社と当該電力会社の電力送電網に接続する事業者とを包含する。より具体的には、利用者とは、例えば、特定規模電気事業者、発電事業者、工場を有する一般産業の事業者、ビル管理会社、公共設備、および地方自治体などの電力を供給又は利用する事業者と、これらの事業者から依頼を受けて系統解析コンサルテーション等の系統解析サービスを実施する事業者とのことを意味する。
【０００８】
さて、以上のような本発明の主旨は、具体的には、以下のような部を講じることにより実現される。
【０００９】
第１の発明は、利用者の有する電力系統の解析結果を前記利用者側の端末装置に、通信ネットワークを介して提供する系統解析サービス提供システムであって、利用者側の端末装置から送信された電力系統を解析するための解析情報を受信する解析情報受信手段と、解析情報受信手段により受信された解析情報を用いて電力系統の解析を実行する解析実行手段と、解析実行手段による解析結果を送信する解析結果送信手段とを備えた系統解析サービス提供システムである。
【００１０】
これにより、解析情報受信手段により利用者側の端末装置から送信された電力系統を解析するための解析情報が受信され、当該受信された解析情報を用いて解析実行手段により電力系統の解析が実行され、解析結果送信手段により解析結果が送信されるので、場所や時間に関係なく、電力系統の解析結果を利用者に提供することが出来る。
【００１１】
第２の発明は、第１の発明の系統解析サービス提供システムにおいて、電力系統の複数の問題点に対する回答の組と、回答の組に対応する所定のキーワードとが対応して記憶された問題分析テーブルと、利用者側の端末装置から送信された、電力系統に関する問題点に対する回答の組を受信する問題情報受信手段と、問題情報受信手段により受信された回答の組に該当する所定のキーワードを問題分析テーブルから読出すキーワード読出し手段と、キーワード読出し手段により読出されたキーワードに対応する解析ツールに関する情報を送信するツール情報送信手段とをさらに備えた系統解析サービス提供システムである。
【００１２】
これにより、第１の発明と同様の作用を奏することが出来るのに加え、利用者が場所・時間に関係なく、利用者の抱える問題・課題を分析し、それらを解決するための適切な系統解析が行え、短期間でその結果を利用者へ届けることができ、また、電力系統解析の依頼者や実施者の利便性を大きく高めることが出来る。
【００１３】
第３の発明は、第１の発明の系統解析サービス提供システムにおいて、複数の解析プランに対応した解析内容が記憶された解析内容記憶手段と、利用者側の端末装置から、予め提示された複数の解析プランの選択を促す手段と、利用者側の端末装置により選択された解析プランに対応する解析内容を解析内容記憶手段から読出す解析内容読出し手段と、解析内容読出し手段により読出された解析内容を送信する解析内容送信手段とをさらに備えた系統解析サービス提供システムである。
【００１４】
これにより、第１の発明と同様の作用を奏することが出来る。
【００１５】
第４の発明は、第１の発明の系統解析サービス提供システムにおいて、電力系統の解析に必要な解析情報が記憶された解析情報記憶手段と、利用者側の端末装置から前記電力系統の解析を行うための解析情報の補足要求があるか否かを判定する補足要求判定手段と、補足要求判定手段による判定の結果、補足要求があると判定された場合に、解析情報受信手段により受信された解析情報に、解析情報記憶手段から読出した解析情報を補足する解析情報補足手段とをさらに備えた系統解析サービス提供システムである。
【００１６】
これにより、第１の作用と同様の作用を奏することが出来るのに加え、補足要求があると判定した場合に、解析情報が補足されるので、必要最小限のデータ入力で電力系統の解析を行うことが出来る。
【００１７】
第５の発明は、第１の発明の系統解析サービス提供システムにおいて、電力系統の複数の問題点に対する回答の組と、回答の組に対応する所定のキーワードとが対応して記憶された問題分析テーブルと、利用者側の端末装置から送信された、電力系統に関する問題点に対する回答の組を受信する問題情報受信手段と、問題情報受信手段により受信された回答の組に該当する所定のキーワードを問題分析テーブルから読出すキーワード読出し手段と、キーワード読出し手段により読出されたキーワードに対応する解析ツールに関する情報を送信するツール情報送信手段と、電力系統の解析に必要な解析情報が記憶された解析情報記憶手段と、利用者側の端末装置から電力系統の解析を行うための解析情報の補足要求があるか否かを判定する補足要求判定手段と、補足要求判定手段による判定の結果、補足要求があると判定された場合に、解析情報受信手段により受信された解析情報に、解析情報記憶手段から読出した解析情報を補足する解析情報補足手段と
解析情報補足手段により補足された解析情報を送信する解析情報送信手段と、複数の解析プランに対応した解析内容が記憶された解析内容記憶手段と、利用者側の端末装置から、予め提示された複数の解析プランの選択を促す手段と、利用者側の端末装置により選択された解析プランに対応する解析内容を前記解析内容記憶手段から読出す解析内容読出し手段と、解析内容読出し手段により読出された解析内容を送信する解析内容送信手段とを備えた系統サービス提供システムである。
【００１８】
これにより、第１の発明と同様の作用を奏することが出来る。
【００１９】
第６の発明は、利用者側の端末装置から通信ネットワークを介して送信された要求に基づいて、前記利用者の所有する電力系統の解析結果を、送信元の端末装置に提供する系統解析サービス提供システムであって、利用者側の端末装置から送信された要求を受信し、当該要求の種別を判定する要求判定手段と、要求判定手段により要求が電力系統の解析に関するものであると判定された場合、利用者の有する電力系統を解析するための解析情報の入力を受け付ける解析情報入力受付手段と、解析情報入力受付手段により受け付けられた解析情報を用いて電力系統の解析を実行する系統解析実行手段と、系統解析実行手段による解析の実行結果を送信元の端末装置に送信する解析結果送信手段とを備えた系統解析サービス提供システムである。
【００２０】
これにより、要求判定手段により利用者側の端末装置から送信された要求が受信され、当該要求の種別が判定され、当該要求判定手段により要求が電力系統の解析に関するものであると判定された場合、解析情報入力受付手段により利用者の有する電力系統を解析するための解析情報の入力が受け付けられ、解析情報入力受付手段により受け付けられた解析情報を用いて系統解析実行手段により電力系統の解析が実行され、系統解析実行手段による解析の実行結果が解析結果送信手段により送信元の端末装置に送信されるので、場所や時間に関係なく、電力系統の解析結果を利用者に提供することが出来る。
【００２１】
第７の発明は、利用者の有する電力系統の解析結果を前記利用者側の端末装置に、通信ネットワークを介して提供する系統解析サービス提供方法であって、利用者をシステム利用者として登録する顧客情報処理プロセスと、系統解析を実行するために、利用者が入力した情報を用いて解析用データを定義・設定する解析用データ設定プロセスと、利用者が要求する解析条件で電力系統解析を実行する解析実行プロセスと、解析結果を利用者の要求する形に加工して提供する解析結果提供プロセスと、複数のプロセスを利用者が選択して実行する機能選択プロセスとを含む系統解析サービス提供方法である。
【００２２】
これにより、顧客情報処理プロセスにより利用者がシステム利用者として登録され、解析用データ設定プロセスにより系統解析を実行するために、利用者が入力した情報を用いて解析用データが定義・設定され、解析実行プロセスにより利用者が要求する解析条件で電力系統解析が実行され、解析結果提供プロセスにより解析結果が利用者の要求する形に加工して提供され、機能選択プロセスにより、複数のプロセスが利用者により選択されて実行されるので、利用者が場所・時間に関係なく、必要な系統解析が行え、短期間でその結果を利用者へ届けることができ、電力系統解析の依頼者や実施者の利便性を大きく高めることが出来る。
【００２３】
第８の発明は、第７の発明の系統解析サービス提供方法において、利用者の抱えている電力系統に関する問題や課題を入力させ、その問題や課題を分析して適切な解析ツールを選定するための系統解析に関する情報を抽出し、利用者にその情報を提示する問題分析プロセスと、解析実行プロセスに、問題分析プロセスで得た情報をもとにして解析ツールを選定し解析ツールが格納された媒体から当該解析ツールを引き出す系統解析ツール選定プロセスとをさらに含む系統解析サービス提供方法である。
【００２４】
これにより、第７の発明の作用と同様の作用を奏することが出来る。
【００２５】
第９の発明は、第７の発明の系統解析サービス提供方法において、複数の系統解析プランの中から利用者が必要とする解析プランを選択し、選択した解析プランに関する情報を利用者に提示する解析プラン決定プロセスをさらに含む系統解析サービス提供方法である。
【００２６】
これにより、第７の発明と同様の作用を奏することが出来る。
【００２７】
第１０の発明は、第７の発明の系統解析サービス提供方法において、解析用データ設定プロセスに、利用者が入力した解析用データに不足データがある場合に系統解析が可能なデータとするために適切にデータを補足する入力データ補足実行プロセスと、補足したデータの内容を利用者に提示し、その良否を確認する入力データ補足情報提示プロセスとをさらに含む系統解析サービス提供方法である。
【００２８】
これにより、第７の作用と同様の作用を奏することが出来る。
【００２９】
第１１の発明は、第７の発明の系統解析サービス提供方法において、利用者の抱えている電力系統に関する問題や課題を入力させ、その問題や課題を分析して適切な解析部や解析ツールを選定するための系統解析に関する情報を抽出し、利用者にその情報を提示する問題分析プロセスと、複数の系統解析プランの中から利用者が必要とする解析プランを選択し、選択した解析プランに関する情報を利用者に提示する解析プラン決定プロセスと、解析用データ設定プロセスに、利用者が入力した解析用データに不足データがある場合に系統解析が可能なデータとするために適切にデータを補足する入力データ補足実行プロセスと、補足したデータの内容を利用者に提示し、その良否を確認する入力データ補足情報提示プロセスと、前記解析実行プロセスに、前記問題分析プロセスで得た情報をもとにして解析ツールを選定し、解析ツールが格納された媒体から当該解析ツールを引き出す系統解析ツール選定プロセスとをさらに含む系統解析サービス提供方法である。
【００３０】
これにより、第７の発明と同様の作用を奏することが出来る。
【００３１】
第１２の発明は、利用者の有する電力系統の解析結果を前記利用者側の端末装置に、通信ネットワークを介して提供する系統解析サービス提供システムのコンピュータにインストールされたプログラムが記録された記録媒体であって、系統解析サービス提供システムのコンピュータを、利用者がシステム利用者として登録し、顧客情報や解析に必要な複数の情報をシステムに入力し、あるいは電力系統解析に関係する複数の情報をシステムから引き出すための要求事項を入力する利用者情報受信手段、利用者が入力した電力系統解析に関係する複数の情報を受け付け、分類し、情報種類に応じて次処理へ情報を送り、また、利用者から要求のあった情報を情報格納部から引き出し提示する情報受付・提示手段、利用者から入力された顧客情報や解析に必要な複数の情報、電力系統解析に関係する複数の情報および電力系統解析結果の情報を格納する情報格納手段、電力系統解析で用いる解析手法の選択、系統解析の実行、解析結果の評価等を実行する解析・評価実行手段、利用者が閲覧あるいは入手したい電力系統解析に関する情報を整然と表示する情報送信手段として機能させるプログラムを記録したコンピュータ読み取り可能な記録媒体である。
【００３２】
これにより、系統解析サービス提供システムのコンピュータを、利用者がシステム利用者として登録し、顧客情報や解析に必要な複数の情報をシステムに入力し、あるいは電力系統解析に関係する複数の情報をシステムから引き出すための要求事項を入力する利用者情報受信手段、利用者が入力した電力系統解析に関係する複数の情報を受け付け、分類し、情報種類に応じて次処理へ情報を送り、また、利用者から要求のあった情報を情報格納部から引き出し提示する情報受付・提示手段、利用者から入力された顧客情報や解析に必要な複数の情報、電力系統解析に関係する複数の情報および電力系統解析結果の情報を格納する情報格納手段、電力系統解析で用いる解析手法の選択、系統解析の実行、解析結果の評価等を実行する解析・評価実行手段、利用者が閲覧あるいは入手したい電力系統解析に関する情報を整然と表示する情報送信手段として機能させるので、利用者が場所・時間に関係なく、利用者の抱える問題・課題を分析し、それらを解決するための適切な系統解析が行え、短期間でその結果を利用者へ届けることができ、また、電力系統解析の依頼者や実施者の利便性を大きく高めることが出来る。
【００３３】
第１３の発明は、利用者の有する電力系統の解析結果を前記利用者側の端末装置に、通信ネットワークを介して提供する系統解析サービス提供システムのコンピュータにインストールされたプログラムが記録された記録媒体であって、系統解析サービス提供システムのコンピュータに、利用者がシステム利用者として登録する顧客情報を処理する顧客情報処理プロセス、利用者が抱える問題と課題を分析する問題分析プロセス、選択した解析プランの実行に関する情報を抽出し提示する解析プラン決定プロセス、解析を実行するために利用者が入力した情報を用いて解析用データを定義・設定する解析用データ設定プロセス、利用者が要求する解析条件で電力系統解析を実行する解析実行プロセス、解析結果を利用者の要求する形に加工して提供する解析結果提供プロセスを実行させるためのプログラムを記録したコンピュータ読み取り可能な記録媒である。
【００３４】
これにより、系統解析サービス提供システムのコンピュータに、利用者がシステム利用者として登録する顧客情報を処理する顧客情報処理プロセス、利用者が抱える問題と課題を分析する問題分析プロセス、選択した解析プランの実行に関する情報を抽出し提示する解析プラン決定プロセス、解析を実行するために利用者が入力した情報を用いて解析用データを定義・設定する解析用データ設定プロセス、利用者が要求する解析条件で電力系統解析を実行する解析実行プロセス、解析結果を利用者の要求する形に加工して提供する解析結果提供プロセスを実行させるので、
利用者が場所・時間に関係なく、利用者の抱える問題・課題を分析し、それらを解決するための適切な系統解析が行え、短期間でその結果を利用者へ届けることができ、また、電力系統解析の依頼者や実施者の利便性を大きく高めることが出来る。
【００３５】
【発明の実施の形態】
［第１の実施の形態］
図１は本発明の第１の実施の形態に係る系統解析サービス提供システムの全体構成図である。
【００３６】
本実施の形態に係る系統解析サービス提供システムは、系統解析サービス提供サーバ１と、当該系統解析サービス提供サーバ１と通信ネットワーク２で接続された利用者３１側の端末装置４１と、利用者３２側の端末装置４２とから構成される。
【００３７】
また、本実施の形態では、利用者側の端末装置は、２台が接続されているが、これに限らず、１台、３台、４台、および５台等の任意の台数に変更可能であることはいうまでもない。
【００３８】
系統解析サービス提供サーバ１は、利用者情報受信部５と、情報受付・提示部６と、解析・評価実行部７と、情報格納部８と、情報送信部９とから構成される。
【００３９】
また、利用者情報受信部５は、コンテンツ選択入力部５０と、顧客情報入力部５１と、解析データ入力部５４と、シミュレーション実行要求入力部５５と、解析結果表示・評価要求入力部５６とから構成される。
【００４０】
さらに、コンテンツ選択入力部５０は、図２に示すように、コンテンツ選択入力フォーム送信部５０１と、コンテンツ選択入力受信部５０２と、選択コンテンツ分岐部５０３と、コンテンツ選択入力フォーム記憶部５０５とから構成される。
【００４１】
顧客情報入力部５１は、図３に示すように、顧客情報入力フォーム送信部５１１と、顧客情報入力受信部５１２と、顧客情報入力フォーム記憶部５１４とから構成される。
【００４２】
解析データ入力部５４は、図４に示すように、解析データ入力フォーム送信部５４１と、解析データ入力受信部５４２と、解析データ入力フォーム記憶部５４６とから構成される。
【００４３】
シミュレーション実行要求入力部５５は、図５に示すように、実行条件入力フォーム送信部５５１と、実行条件入力情報受信部５５２と、実行条件入力フォーム記憶部５５４とから構成される。
【００４４】
解析結果表示・評価要求入力部５６は、図６に示すように、結果表示・評価入力フォーム送信部５６１と、結果表示・評価要求入力情報受信部５６２と、結果表示・評価入力フォーム記憶部５６４とから構成される。
【００４５】
情報受付・提示部６は、解析データ受付部６３と、シミュレーション実行要求受付部６５と、解析結果表示・評価要求受付部６６と、解析・評価結果提示部６７とから構成される。
【００４６】
解析データ受付部６３は、図７に示すように、解析データ確認部６３１と、分岐処理部６３２と、解析データ受付登録部６３３と、エラー情報送信部６３４とから構成される。
【００４７】
シミュレーション実行要求受付部６５は、図８に示すように、計算条件確認部６５１と、分岐処理部６５２と、解析条件確認部６５３と、分岐処理部６５４と、実行要求受付登録部６５５と、エラー情報送信部６５６と、実行条件データ記憶部６５７とから構成される。
【００４８】
解析結果表示・評価要求受付部６６は、図９に示すように、要求事項確認部６６１と、分岐処理部６６２と、要求事項受付登録部６６３と、エラー情報送信部６６４と、要求事項記憶部６６５とから構成される。
【００４９】
解析・評価結果提示部６７は、図１０に示すように、解析・評価結果提示フォーム作成部６７１と、画面表示用データ選択入力受信部６７２と、解析・評価結果提示フォーム記憶部６７４とから構成される。
【００５０】
解析・評価実行部７は、解析シミュレーション実行部７３と、解析結果表示加工・評価実行部７４とから構成される。
【００５１】
解析シミュレーション実行部７３は、図１１に示すように、解析用入力データ読込部７３１と、解析ツール実行部７３２と、分岐処理部７３３と、シミュレーション結果情報登録部７３４と、エラー情報送信部７３５と、解析用データ記憶部７３６とから構成される。
【００５２】
解析結果表示加工・評価実行部７４は、図１２に示すように、シミュレーション結果情報取込部７４１と、評価要求実行部７４２と、分岐処理部７４３と、表示要求実行部７４４と、分岐処理部７４５と、結果表示・評価結果登録部７４６と、エラー情報送信部７４７と、エラー情報送信部７４８と、結果表示・評価結果記憶部７４９とから構成される。
【００５３】
情報格納部８は、顧客情報格納部８１と、利用者解析データ格納部８３と、シミュレーション結果情報格納部８５とから構成される。
【００５４】
情報送信部９は、画面表示用データ送信加工部９１と、データ送信部９２とから構成される。
【００５５】
なお、本実施の形態に係る系統解析サービス提供システムを構成する各部は、ソフトウェア若しくはハードウェア又はソフトウェアとハードウェアとの組合わせの何れから構成されるものであってもよい。
【００５６】
また、本実施の形態に係る系統解析サービス提供サーバは、予め記録媒体又は通信ネットワークを介してインストールされたプログラムによって動作が制御されるコンピュータによってその機能が実現される。
【００５７】
コンテンツ選択入力フォーム送信部５０１は、利用者側からの系統解析サービス提供サーバへの接続要求を受信したか否かを判定する機能と、当該判定結果として接続要求を受信したと判定した場合に、コンテンツ選択入力フォーム記憶部５０５からコンテンツ選択フォーム５０４を読出し、当該読出したコンテンツ選択入力フォーム５０４を含むファイルを利用者３１側の端末装置４１に送信する機能とを有する。
【００５８】
図１３は、コンテンツ選択入力フォーム５０４の一例を示す模式図である。
【００５９】
この図に示すコンテンツ選択入力フォーム５０４では、顧客情報入力・更新、解析データ入力、解析シミュレーション実行、および解析結果・評価の各項目と、各項目に対応し、かつ、利用者にクリックさせるためのボタンとが表示されている。
【００６０】
コンテンツ選択入力フォーム受信部５０２は、利用者３１の選択操作により選択されたコンテンツに関する情報を受信する機能と、当該受信したコンテンツに関する情報を選択コンテンツ分岐部５０３に出力する機能とを有する。
【００６１】
選択コンテンツ分岐部５０３は、選択されたコンテンツが何れのコンテンツであるかを判定する機能と、判定の結果として顧客情報入力部５１、解析データ入力部５４、シミュレーション実行要求入力部５５、および解析結果表示・評価要求入力部５６の何れか１つを起動させる機能とを有する。
【００６２】
コンテンツ選択入力フォーム記憶部５０５には、前述したコンテンツ選択入力フォーム５０４を含むファイルが記憶されている。
【００６３】
顧客情報入力フォーム送信部５１１は、選択コンテンツ分岐部５０３により起動されると、顧客情報入力フォーム５１３を顧客情報入力フォーム記憶部５１４から読出し、当該読出した顧客情報入力フォーム５１３を含むファイルを利用者３１側の端末装置４１に送信する機能を有する。
【００６４】
図１４は、顧客情報入力フォーム５１３の一例を示す模式図である。
【００６５】
この図に示す顧客情報入力フォーム５１３では、利用者の氏名、勤務先、勤務先住所、勤務先ＴＥＬ、メールアドレス、ユーザＩＤ、およびパスワードをそれぞれ記入するための欄と、更新ボタン、送信ボタン、キャンセルボタンとが掲載されている。
【００６６】
顧客情報入力受信部５１２は、利用者側端末から送信された顧客情報を受け取る機能と、当該受け取った顧客情報を、顧客情報格納部８１に登録する機能とを有する。
【００６７】
顧客情報入力フォーム記憶部５１４には、前述した顧客情報入力フォーム５１３を含むファイルが記憶されている。
【００６８】
顧客情報格納部８１には、図１５に示すように、利用者の氏名、勤務先住所、勤務先ＴＥＬ、メールアドレス、ユーザＩＤ、パスワード、依頼解析ＩＤ、依頼日限、解析データＩＤ、解析条件ＩＤ、実行履歴ＩＤ、解析結果ＩＤ、および評価結果ＩＤの組が読出し／書込み可能に登録されている。
【００６９】
ここで、依頼解析ＩＤとは、利用者側から解析依頼があった場合に、随時登録される識別コードである。
【００７０】
解析データＩＤとは、利用者側から解析データの入力がなされた場合に、随時登録される識別コードである。
【００７１】
解析条件ＩＤとは、利用者側から解析条件の入力がなされた場合に、随時登録される識別コードである。
【００７２】
実行履歴ＩＤとは、利用者側から実行履歴の要求があった場合に、随時登録される識別コードである。
【００７３】
解析結果ＩＤとは、利用者側からの解析の要求により、解析を実行した場合に、随時登録される識別コードである。
【００７４】
評価結果ＩＤとは、利用者側から評価の要求があった場合に、随時登録される識別コードである。
【００７５】
解析データ入力フォーム送信部５４１は、利用者３１側から要求があったか否かを判定する機能と、要求があったと判定した場合に、処理選択入力フォーム５４３を含むファイルを利用者３１側の端末装置４１に送信する機能とを有する。
【００７６】
図１６は、処理選択入力フォーム５４３の一例を示す模式図である。
【００７７】
この図に示す処理選択入力フォーム５４３には、新規入力か否かを選択する欄と、データ呼出か否かを選択する欄と、ローカルから呼び出すか否かを選択する欄と、ファイル名を入力する欄と、サーバから読み出すか否かを選択する欄と、ユーザＩＤ、パスワード、および解析データＩＤを入力される欄と入力が完了したか否かを選択する欄とが設けられている。
【００７８】
ここで、処理選択入力フォーム５４３とは、新規に解析データを作成するか又は作成済みの解析データを読み出すかを選択入力するフォームを意味する。
【００７９】
処理選択入力フォーム５４３には、解析データ入力フォームにリンクが張られており、［新規入力］が端末装置から選択されると、解析データ入力フォーム送信部５４１により解析データ入力フォームのファイルが解析データ入力フォーム記憶部５４６から読出され、当該読出された解析データ入力フォームが利用者３１側の端末装置４１に送信される。
【００８０】
図１７は、解析データ入力フォーム５４４の一例を示す模式図である。
【００８１】
この図に示す解析データ入力フォーム５４４では、［送電線データ入力］が表示されており、送電線の名称、送電端の名称、受電端の名称、解析に必要な送電線の抵抗値、およびリアクタンス値が表示されている。
【００８２】
なお、本実施の形態に係る解析データ入力フォーム５４４は、送電線データに関するものであったが、これに限らず、母線等の送電線の要素ごとに表示させてもよいことはいうまでもない。
【００８３】
また、本実施の形態に係る解析データ入力フォームでは、送電線の名称、送電端の名称、および受電端の名称は、利用者が任意に変更可能である。
【００８４】
さらに、本実施の形態に係る解析データ入力フォームでは、入力データは、工学単位、ＳＩ単位、および単位法（ＰＵ値）のうちから指定可能としてもよいことはいうまでもない。
【００８５】
なお、図１８は、解析データ入力フォーム５４５の他の一例を示す模式図である。
【００８６】
この図に示す解析データ入力フォーム５４５では、解析対象の送電線や母線の接続に関する情報を図上で自動的に表示されている。
【００８７】
解析データ入力受信部５４２は、利用者３１側の端末装置４１から送信された要求に基づいて、［新規入力］が選択されたか否かを判定する機能と、当該判定の結果として［新規入力］が選択されたと判定した場合、解析データ入力フォーム５４４のファイルを読み込み、利用者３１側の端末装置４１に送信する機能と、［データ呼出し］が選択されたか否かを判定する機能と、当該判定の結果として［データ呼出し］が選択されたと判定した場合、さらに動作モードが選択され、かつ、ユーザＩＤ、パスワード、および解析ＩＤが入力されたか否かを判定する機能と、当該判定の結果として動作モードが選択され、かつ、ユーザＩＤ、パスワード、および解析ＩＤが入力されたと判定した場合に、過去に利用者が登録した解析データを読出す機能と、当該読出した解析データを利用者側３１の端末装置４１に送信する機能とを有する。
【００８８】
解析データ入力フォーム記憶部５４６には、前述した処理選択入力フォーム５４３と解析データ入力フォーム５４４、５４５とを含むファイルが記憶されており、解析データ入力フォーム送信部５４１により処理選択入力フォーム５４３と解析データ入力フォーム５４４とを含むファイルが読み出される。
【００８９】
実行条件入力フォーム送信部５５１は、利用者側の端末装置から送信された要求を受け取ったか否かを判定する機能と、当該判定の結果として要求があったと判定した場合に、実行条件入力フォーム５５３を含むファイルを実行条件入力フォーム記憶部５５４から読出し、当該読み出した実行条件入力フォーム５５３を含むファイルを利用者３１側の端末装置４１に送信する機能とを有する。
【００９０】
図１９は、実行条件入力フォーム５５３の一例を示す模式図である。
【００９１】
本実施の形態に係る実行条件入力フォーム５５３には、解析データＩＤ、ケース番号、ケースタイトル、計算条件、初期条件、および擾乱条件を入力する欄が設けられている。
【００９２】
なお、本実施の形態に係る実行条件入力フォームでは、計算条件として、計算刻み、計算時間、収束判定の条件、シミュレーション計算の最大回数、および加速係数が設けられているが、これに限らず、任意の項目を設けてもよいことはいうまでもない。
【００９３】
また、図１９に示す実行条件入力フォームでは、初期条件として、解析対象の電力系統の母線の状態、送電線の状態、および機器の状態を含むベース状態が設けられている。
【００９４】
さらに、図１９に示す実行条件入力フォームでは、擾乱条件として、系統の故障条件、送電線の開閉状態、および機器起動停止の状態をセットする欄が設けられている。
【００９５】
なお、本実施の形態に係る実行入力フォームでは、擾乱条件として系統の故障条件、送電線の開閉状態、および機器起動停止の状態が設けられているが、これに限らず、擾乱発生時間、発生箇所、又は発生機器をセットする欄を設けてもよいことはいうまでもない。
【００９６】
実行条件入力情報受信部５５２は、利用者３１側の端末装置４１から送信されたシミュレーション実行要件を受信するか否かにより、シミュレーションの実行するための要求があるか否かを判定する機能と、当該判定の結果としてシミュレーションの実行要求があると判定された場合に、受信したシミュレーションの実行条件に関する情報をシミュレーション実行要求受付部６５に出力する機能とを有する。
【００９７】
実行条件入力フォーム記憶部５５４には、前述した実行条件入力フォーム５５３を含むファイルが記憶されている。
【００９８】
計算条件確認部６５１は、入力された計算時間と計算刻みとが適正か否かを判定する機能と、、収束条件（収束判定誤差、最大回数、および加速係数）が適正か否かを判定する機能と、データの入力漏れがあるか否かを判定する機能と、当該計算条件の確認の結果、何れか１つの計算条件に問題があると判定した場合には、変数Ｐを１にセットし、当該セットした変数を分岐処理部６５２に出力する機能と、計算条件の確認の結果、何れの計算条件にも問題がないと判定した場合には、変数ｐを０にセットし、当該セットした変数ｐの値と計算条件とを分岐処理部６５２に出力する機能を有する。
【００９９】
分岐処理部６５２は、計算条件確認部６５１から出力された変数ｐの値が０であるか否かを判定し、当該判定の結果、変数値が０であると判定した場合、解析条件確認部６５３に初期条件、擾乱条件などの解析条件に関するデータを出力する機能と、計算条件確認部６５１から出力された変数ｐの値が１であると判定した場合、エラー情報送信部６５６に変数ｐの値を出力する機能を有する。
【０１００】
解析条件確認部６５３は、分岐処理部６５２から出力された解析条件に関するデータに関し、初期条件が適正か否かを判定する機能と、擾乱条件が適正か否かを判定する機能と、データの入力漏れがあるか否かを判定する機能と、当該解析条件の確認の結果、何れか１つの解析条件に問題があると判定した場合に、変数ｑを１にセットする機能と、当該変数値を分岐処理部６５４に出力する機能と、当該解析条件の確認の結果、何れの解析条件にも問題がないと判定した場合に、変数ｑを０にセットする機能と、計算条件と解析条件と（以下、計算条件と解析条件とを併せて実行条件という）を実行条件受付登録部に出力する。ここで、初期条件の適正とは、母線状態や送電線状態等の矛盾点がないことであり、例えば、送電線が開放されているのに、潮流が流れているようなことを指す。また、擾乱条件の適正も、故障条件、送電線の開閉や機器の起動停止に物理的な矛盾点がないことを意味する。
【０１０１】
実行要求受付登録部６５５は、確認した実行条件を実行条件データ記憶部６５７に登録させると共に、当該実行条件を解析シミュレーション実行部７３に出力する機能を有する。
【０１０２】
エラー情報送信部６５６は、分岐処理部６５２、６５４から出力された変数ｐ、ｑの値を受け取る機能と、当該受け取った変数ｐが１であると判定した場合には、計算条件のエラーメッセージとエラーの内容を利用者側の端末装置に送信する機能と、変数値ｑが１であると判定した場合には、解析条件のエラーメッセージとエラーの内容を利用者３１側の端末装置４１に送信する機能とを有する。
【０１０３】
実行条件データ記憶部６５７には、計算条件と解析条件とが記憶されている。
【０１０４】
解析用入力データ読込部７３１は、系統データに関しては利用者解析データ格納部８３から、実行条件に関しては、実行条件データ記憶部６５７からそれぞれ読出し、解析ツール実行部７３２に出力する機能を有する。
【０１０５】
解析ツール実行部７３２は、解析用入力データに対応した解析ツールの計算をサーバー上で実行する機能を有する。
【０１０６】
なお、本実施の形態では、解析ツール実行部がサーバ上でシミュレーション計算を実行したが、これに限らず、計算専用の計算機で実行してもよい。
【０１０７】
分岐処理部７３３は、解析ツールの実行が終了した時に出力されるファイルから正常終了確認情報ｓを読み取る機能と、当該読み取った正常終了確認情報ｓ＝０ならば、正常終了としてシミュレーション結果情報登録部７３４に解析ツールの実行結果として得られた計算結果を出力する機能と、当該読み取った正常終了確認情報ｓ＝１ならば、異常終了として、エラー情報送信部７３５に正常終了情報ｓ＝１を出力する機能とを有する。
【０１０８】
シミュレーション結果情報登録部７３４は、計算結果、実行条件等のシミュレーション結果情報をシミュレーション結果情報格納部８５に格納する。
【０１０９】
シミュレーション結果情報格納部８５には、シミュレーション結果情報が、シミュレーション結果情報登録部７３４により記憶される。
【０１１０】
図２０は、シミュレーション結果情報格納部８５に記憶されたシミュレーション結果情報テーブルの一例を示す模式図である。
【０１１１】
本実施の形態に係るシミュレーション結果情報テーブルには、図２０に示すように、シミュレーション結果として、依頼解析ＩＤ、解析データＩＤ、解析ケースＩＤ、解析条件ＩＤ、計算条件ＩＤ、ケースタイトル、時刻、母線諸量、送電線諸量、発電機諸量、および負荷諸量が対応して記憶されている。また、計算条件として、計算条件ＩＤ、計算刻み、計算時間、収束判定、最大回数、および加速係数が対応して記憶されている。さらに、解析条件として、解析条件ＩＤと、初期条件、具体的には、母線状態、送電線状態、および機器状態と、擾乱条件、具体的には、故障条件、送電線開閉、および機器起動停止とが対応して記憶されている。
【０１１２】
エラー情報送信部７３５は、分岐処理部から出力された正常終了確認情報ｓ＝１を受信し、シミュレーション結果のエラーメッセージを利用者側の端末装置に送信する機能とを有する。
【０１１３】
結果表示・評価入力フォーム送信部は、利用者側の端末装置から送信された要求を受信し、結果表示・評価入力フォーム記憶部から結果表示・評価入力フォームを読出す機能と、読出した結果表示・評価入力フォームを利用者側の端末装置に送信する機能とを有する。
【０１１４】
図２１は、本実施の形態に係る系統解析サービス提供システムの結果表示・評価入力フォーム５６３の一例を示す模式図である。
【０１１５】
本実施の形態に係る結果表示・評価入力フォーム５６３では、解析データＩＤ、ケース番号ＩＤ、ケースタイトル、結果表示要求項目、および評価要求項目が対応して記憶されている。
【０１１６】
なお、ここで、結果表示項目としては、例えば、波形グラフ（表示項目）、電圧（表示要素）、母線（表示対象）、および母線の名称が対応して表示されている。
【０１１７】
また、評価要求項目としては、例えば、動揺（評価項目）、電圧（評価要素）、母線（評価対象）、および母線の名称が対応して記憶されている。
【０１１８】
ここで、結果表示要求項目とは、シミュレーション解析の数値結果をグラフ表示する形態の選択と、そのために対象とする電気量、機器種別と機器名称を選択入力するための項目である。また、評価要求項目とは、シミュレーション解析の数値結果を動揺周波数や減衰率などの評価量の選択と、それらを求めるために対象とする電気量、機器種別と機器名称を選択入力するための項目である。
【０１１９】
結果表示・評価要求入力情報受信部５６２は、利用者側の端末装置から送信された、結果表示要求項目と、評価要求項目とのデータを受信する機能と、当該受信した結果表示要求項目と、評価要求項目とのデータを解析結果表示・評価要求受付部６６に出力する機能とを有する。
【０１２０】
要求項目確認部６６１は、結果表示・評価要求入力情報受信部５６２から出力された結果表示要求項目と、評価要求項目とのデータに関し、表示項目が実行可能か否かを判定する機能と、評価項目が実行可能か否かを判定する機能と、データの入力漏れがあるか否かを判定する機能と、当該確認の結果として何れも可能で、かつ、データの入力漏れもないと判定した場合、変数ｕを０にセットする機能と、何れかの項目に問題があると判定した場合、変数ｕを１にセットする機能と、セットした変数値を分岐処理部６６２に出力する機能とを有している。
【０１２１】
分岐処理部６６２は、要求項目確認部６６１から出力された変数ｕの値が０であると判定した場合、表示項目の確認結果とｕの値とを、要求事項受付登録部６６３に出力する機能と、要求項目確認部６６１から出力された変数ｕの値が１であると判定した場合、結果表示・評価要求項目の確認結果とｕの値とをエラー情報送信部に出力する機能とを有する。
【０１２２】
要求事項受付登録部６６３は、分岐処理部６６２から出力された結果表示・評価要求項目の確認結果を要求事項記憶部６６５に記憶させると共に、解析結果表示・評価要求受付部７４に出力する機能を有する。
【０１２３】
エラー情報送信部６６４は、結果表示・評価要求項目に関するエラーメッセージを利用者側の端末装置に送信する。そして、エラー情報送信部６６４は、利用者３１が内容を確認した後、解析結果表示・評価要求入力部５６の処理へ移す。
【０１２４】
要求事項記憶部６６５には、結果表示・評価要求項目の確認結果が記憶されている。
【０１２５】
シミュレーション結果情報取込部７４１は、シミュレーション結果情報格納部８５から、結果識別データ、時系列解析結果データ、計算条件データ、および解析条件データを読み込み、要求事項記憶部６６５から、結果表示・評価要求入力情報を読み込み、評価要求実行部７４２へ送る機能を有する。
【０１２６】
評価要求実行部７４２は、利用者の評価要求事項に対して評価計算を実行し、評価計算が正常に終了したことを確認する情報ｖを分岐処理部７４３に送る機能を有する。
【０１２７】
分岐処理部７４３は、ｖ＝０ならば、正常終了と判断し、評価計算の結果とｖの値とを表示要求実行部７４４に出力する機能と、ｖ＝１ならば、異常終了と判断し、評価計算の結果とｖの値とをエラー処理送信部７４７に出力する機能とを有する。
【０１２８】
エラー処理送信部７４７は、評価計算が異常終了したことのエラーメッセージとその内容を利用者３１の端末装置４１へ送信する。そして、エラー処理送信部７４７は、利用者３１がその内容を確認した後、表示要求実行部７４４の実行へ進む。
【０１２９】
表示要求実行部７４４は、利用者の結果表示要求事項に対して結果のグラフ表示処理を実行する機能と、表示処理が正常に終了したことを確認する情報ｗを分岐処理部７４５に出力する機能を有する。
【０１３０】
分岐処理部７４５は、ｗ＝０ならば、正常終了と判断し、表示処理の内容とｗの値とを結果表示・評価結果登録部７４６に出力する機能と、ｗ＝１ならば、異常終了と判断し、表示処理の内容とｗの値とをエラー処理送信部７４８に出力する機能とを有する。
【０１３１】
エラー処理送信部７４８は、表示処理が異常終了したことのエラーメッセージとその内容を利用者３１の端末装置４１へ送信する。
【０１３２】
結果表示・評価結果登録部７４６は、結果表示情報と評価結果情報を結果表示・評価結果記憶部７４９に記録すると共に、それらの情報を解析・評価結果提示部６７に送る機能を有する。
【０１３３】
解析・評価結果提示フォーム作成部６７１は、解析結果を表示させるための要求を受信する機能と、図２２に示すような解析・評価結果提示フォーム６７３を利用者３１の端末装置１４１に送信する機能とを有する。
【０１３４】
画面表示用データ選択入力受信部６７２は、利用者により解析・評価結果提示フォーム６７３の項目が選択されると、その選択情報を受信し、選択された解析・評価結果の画面表示用データを画面表示用データ送信加工部９１へ出力する。
【０１３５】
画面表示用データ送信加工部９１は、利用者が要求した情報を整理された形で画面上に表示させるための加工を行う機能と、加工した画面表示用データをデータ送信部９２に出力する。
【０１３６】
データ送信部９２は、画面表示用データ送信加工部９１により加工処理された画面表示用データを利用者３１の端末装置４１へ送信する。
【０１３７】
次に、以上のように構成された系統解析サービス提供サーバの動作に関して説明する。
【０１３８】
なお、本実施の形態に係る系統解析サービス提供システムでは、利用者３１または利用者３２の各々が使用する端末装置４１または端末装置４２から通信ネットワーク２を介して系統解析サービス提供サーバ１に接続される。本実施の形態に係る系統解析サービス提供システム１には、通信ネットワーク２を介して複数の利用者の有する端末装置が接続可能であるが、以下では、説明の簡略化を図る観点から、利用者３１の有する端末装置から接続する場合を例として説明する。なお、利用者の有する端末装置４２から接続する場合には、符号「４１」を「４２」に読み替えるものとする。
【０１３９】
始めに、コンテンツ選択入力フォーム送信部５０１は、利用者３１の端末装置４１により、系統解析サービス提供サーバ１に接続するための要求が送信されたか否かを判定する。
【０１４０】
コンテンツ選択入力フォーム５０１は、このプロセスで要求が送信されたと判定した場合、コンテンツ選択入力フォーム５０４のような入力フォームをコンテンツ選択入力フォーム記憶部５０５から読出し、当該読出したコンテンツ選択入力フォーム５０４を利用者３１の端末装置４１に送信する。
【０１４１】
次に、コンテンツ選択入力受信部５０２は、端末装置４１に表示されたコンテンツ選択入力フォーム５０４のコンテンツの一つが利用者３１により選択されると、その選択情報を受信し、当該受信した選択情報を選択コンテンツ分岐部５０３に出力する。
【０１４２】
次に、選択コンテンツ分岐部５０３は、選択情報の内容に従って、何れのコンテンツが選択されたかを判定する。
【０１４３】
選択コンテンツ分岐部５０３は、このプロセスで顧客情報のコンテンツが選択されたと判定した場合、顧客情報入力部５１を起動する。
【０１４４】
次に、顧客情報入力フォーム送信部５１１は、顧客情報入力部５１が起動されると、顧客情報入力フォーム５１３のような入力フォームを顧客情報入力フォーム記憶部５１４から読出し、当該読出した顧客情報入力フォーム５１３を含むファイルを利用者３１の端末装置４１に送信する。
【０１４５】
次に、顧客情報入力受信部５１２は、端末装置４１に表示された顧客情報入力フォーム５１３に必要な情報が入力され、送信ボタンまたは更新ボタンが利用者３１により押されると、入力された顧客情報を受信し、当該受信した顧客情報を顧客情報格納部８１に整然と登録する。
【０１４６】
選択コンテンツ分岐部５０３は、前述したプロセスで、解析データ入力部５４のコンテンツが選択されたと判定した場合、解析データ入力部５４を起動する。
【０１４７】
次に、解析データ入力フォーム送信部５４１は、処理選択入力フォーム５４３のような入力フォームを解析データ入力フォーム記憶部５４６に記憶された処理選択入力フォーム５４３を読出し、読出した処理選択入力フォームを含むファイルを利用者３１の端末装置４１に送信する。
【０１４８】
次に、解析データ入力フォーム送信部５４１は、［新規作成］が選択された場合、解析データ入力フォーム５４４を解析データ入力フォーム記憶部５４６から読出し、読出した解析データ入力フォームを含むファイルを利用者３１の端末装置４１に送信する。
【０１４９】
なお、本実施の形態のこのプロセスでは、解析データ入力フォーム送信部５４１は、［新規作成］が選択された場合、解析データ入力フォーム５４４を利用者３１の端末装置４１に送信することにより解析データ入力フォームが表示されたが、これに限らず、利用者３１の端末装置４１は、処理選択入力フォーム５４３において［データ呼出］が選択された場合、情報記憶媒体（ハート゛テ゛ィスク、フロッヒ゜ーテ゛ィスク、ＭＯ、ＣＤ−ＲＯＭ、ＣＤ−Ｒ等）から解析データを読み込み、読み込んだ解析データをサーバーに送信するローカルモードと、サーバーの情報記憶媒体（ハート゛テ゛ィスク等）から解析データを読み込むサーバーモードのどちらか一方が選択され、ユーザーＩＤとパスワードおよび解析データＩＤが入力され、さらに［ＯＫ］が押されると、過去に、利用者３１が記録・登録した解析データが呼び出され、解析データ入力フォーム（表形式）５４４または解析データ入力フォーム（ＧＵＩ形式）５４５で表示させてもよい。
【０１５０】
次に、解析データ入力受信部５４２は、入力された解析データを受信し、当該受信した解析データを解析データ受付部６３に出力する。
【０１５１】
次に、解析データ確認部６３１は、入力された解析データに関し、単独母線の有無、分離系統の有無、データの入力漏れの有無、およびデータ大小関係のチェックを行い、確認結果が問題なければ変数ｒ＝０、問題があった場合はｒ＝１をセットし、セットした変数値を分岐処理部６３２に出力する。
【０１５２】
次に、分岐処理部６３２は、ｒ＝０の場合、入力された解析データに問題がないので、解析データを解析データ受付登録部６３３に出力する。
【０１５３】
次に、解析データ受付登録部６３３は、解析データを利用者解析データ格納部８３に格納する。
【０１５４】
図２３は、利用者解析データ格納部８３のデータ構成の一例を示す模式図である。
【０１５５】
この図に示す利用者解析データ格納部８３では、解析データＩＤ、母線データ、送電線データ、変圧器データ、発電機データ、および負荷データが対応して記憶されている。
【０１５６】
一方、分岐処理部６３２は、ｒ＝１の場合、入力データに不備があるので、エラー情報送信部６３４に出力する。
【０１５７】
次に、エラー情報送信部６３４は、エラーメッセージとその内容を、利用者３１の端末装置４１に送信する。
【０１５８】
一方、選択コンテンツ分岐部は、前述したプロセスで、シミュレーション実行要求入力部５５のコンテンツが選択されていると判定した場合、シミュレーション実行要求入力部５５が起動される。
【０１５９】
次に、実行条件入力フォーム送信部５５１は、実行条件入力フォーム５５３を実行条件入力フォーム記憶部５５４から読出し、当該読出した実行条件入力フォーム５５３を含むファイルを利用者３１の端末装置４１に送信する。
【０１６０】
次に、実行条件入力情報受信部５５２は、利用者によりシミュレーション実行条件として、［計算条件］、［初期条件］、［擾乱条件］が入力され、送信ボタンが押されると、入力された実行条件データを受信し、それらの情報をシミュレーション実行要求受付部６５に出力する。
【０１６１】
次に、計算条件確認部６５１は、入力された計算条件を、計算時間、計算刻みの適正有無、収束条件（収束判定誤差や最大回数、加速係数など）の適正有無およびデータ入力漏れの有無等の点からチェックし、計算条件の確認の結果ｐが問題なければｐ＝０をセットし、問題がある場合にはｐ＝１をセットする。
【０１６２】
分岐処理部６５２は、計算条件確認部６５１から出力されたｐの値を受け取り、受け取ったＰの値を判定し、当該判定の結果としてｐ＝０と判定した場合に、解析データとＰの値とを解析条件確認部６５３に出力する。
【０１６３】
次に、解析条件確認部６５３は、入力された解析条件を、初期条件の適正有無、擾乱条件の適正有無、データ入力漏れの有無等の点からチェックし、解析条件の確認結果ｑが問題なければｑ＝０をセットし、問題が有る場合にはｑ＝１をセットする。
【０１６４】
次に、分岐処理部６５４は、ｑ＝０ならば、解析条件とｑの値とを実行要求受付登録部６５５に出力し、ｑ＝１ならば、解析条件とｑの値とをエラー情報送信部６５６に出力する。
【０１６５】
次に、実行要求受付登録部６５５は、実行条件を実行条件データ記憶部６５７に登録すると共に、解析シミュレーション実行部７３に送る。
【０１６６】
一方、分岐処理部６５４は、前述したプロセスで、ｐ＝１と判定した場合に、エラー情報送信部６５６に解析データとＰの値とを出力する。
【０１６７】
次に、エラー情報送信部６５６は、解析データのエラーメッセージとその内容とを利用者３１側の端末装置４１に送信する。
【０１６８】
次に、エラー情報送信部６５６は、ｐ＝１ならば計算条件のエラーメッセージとその内容、ｑ＝１ならは解析条件のエラーメッセージとその内容を、それぞれ利用者３１の端末装置４１へ送信し、利用者３１が内容を確認した後、シミュレーション実行要求入力部５５の処理へ移す。
【０１６９】
次に、解析シミュレーション実行部７３では、図１１に示されるように、解析用入力データ読込部７３１は、系統データを利用者解析データ格納部８３から、計算条件データおよび解析条件データを解析用データ記憶部７３６から読み込み、解析ツール実行部７３２へ送る。
【０１７０】
解析ツール実行部では、解析用入力データに対応した解析ツールを、サーバ上又は計算専用の計算機で実行する。分岐処理部７３３では、解析ツールの実行が終了した時に出力されるファイルから正常終了確認情報ｓを読み取り、ｓ＝０ならば、正常終了としてシミュレーション結果情報登録部７３４に解析データとｓの値を出力し、ｓ＝１ならば、異常終了として、エラー情報送信部７３５に解析データとｓの値を出力する。
【０１７１】
シミュレーション結果情報登録部７３４は、計算結果、実行条件等のシミュレーション結果情報格納部８５に格納する。
【０１７２】
選択コンテンツ分岐部５０３は、前述したプロセスで、解析結果表示・評価要求入力部５６のコンテンツが選択されたと判定した場合、解析結果表示・評価要求入力部５６を起動する。
【０１７３】
結果表示・評価入力フォーム送信部５６１は、解析結果表示・評価要求入力部５６が起動されると、結果表示・評価入力フォーム５６３のような入力フォームを利用者３１の端末装置４１へ送信する。
【０１７４】
結果表示・評価要求入力情報受信部５６２では、利用者により、結果表示・評価入力フォーム５６３の［結果表示要求］と［評価要求］とがいくつか選択され、送信ボタンが押されると、入力された結果表示・評価要求入力情報を受信され、それらの受信された情報は、解析結果表示・評価要求受付部６６へ送られる。
【０１７５】
解析結果表示・評価要求受付部６６は、図９に示されるように、要求事項確認部６６１は利用者が入力した結果表示・評価要求入力情報を、（１）表示項目の実行可否、（２）評価項目の実行可否および（３）データ入力漏れの有無等の点でチェックし、確認結果に問題がなければｕ＝０をセットし、問題があればｕ＝１をセットする。
【０１７６】
分岐処理部６６２では、ｕ＝０ならば要求事項受付登録部６６３に結果表示・評価要求入力情報とｕの値とを出力し、ｕ＝１ならばエラー情報送信部６６４に、結果表示・評価要求入力情報とｕの値とを出力する。
【０１７７】
要求事項受付登録部６６３は、結果表示・評価要求入力情報を要求事項記憶部６６５に登録すると共に、解析結果表示加工・評価実行部７４へ送る。
【０１７８】
エラー情報送信部６６４は、要求入力情報のエラーメッセージとその内容を利用者３１の端末装置４１に送信し、利用者３１が内容を確認した後、解析結果表示・評価要求入力部５６の処理へ移す。
【０１７９】
解析結果表示加工・評価実行部７４では、図１２に示されるように、シミュレーション結果情報取込部７４１は、シミュレーション結果情報格納部８５から、（１）結果識別データ、（２）時系列解析結果データ、（３）計算条件データ、（４）解析条件データを読み込み、要求事項記憶部６６５から、結果表示・評価要求入力情報を読み込み、評価要求実行部７４２に送る。
【０１８０】
評価要求実行部７４２は、利用者の評価要求事項に対して評価計算を実行し、評価計算が正常に終了したことを確認する情報ｖが分岐処理部７４３に送られる。
【０１８１】
分岐処理部７４３は、ｖ＝０ならば、正常終了と判断し、評価計算の結果とｖの値とを表示要求実行部７４４に出力し、ｖ＝１ならば、異常終了と判断し、評価計算の結果とｖの値とをエラー処理送信部７４７に出力する。
【０１８２】
エラー処理送信部７４７は、評価計算が異常終了したことのエラーメッセージとその内容を利用者３１の端末装置４１に送信し、利用者３１が内容を確認した後、表示要求実行部７４４の実行へ進む。
【０１８３】
表示要求実行部７４４は、利用者の結果表示要求事項に対して結果のグラフ表示処理を実行し、表示処理が正常に終了したことを確認する情報ｗを分岐処理部７４５に送る。
【０１８４】
分岐処理部７４５は、ｗ＝０ならば、正常終了と判断し、表示処理内容とｗの値とを結果表示・評価結果登録部７４６に出力し、ｗ＝１ならば、異常終了と判断し、表示処理内容とｗの値とをエラー処理送信部７４８に出力する。
【０１８５】
エラー処理送信部７４８は、表示処理が異常終了したことのエラーメッセージとその内容を利用者３１の端末装置４１に送信し、利用者３１が内容を確認した後、解析結果表示・評価要求入力部５６の処理へ移す。
【０１８６】
結果表示・評価結果登録部７４６は、結果表示情報と評価結果情報を結果表示・評価結果記憶部に記録すると共に、それらの情報を解析・評価結果提示部６７へ送る。
【０１８７】
解析・評価提示部６７では、図１０に示されるように、解析・評価結果提示フォーム作成部６７１は、解析・評価結果提示フォーム記憶部６７４から解析・評価結果提示フォーム６７３を読出し、当該読出した解析・評価結果提示フォーム６７３のような提示フォームを利用者３１の端末装置４１に送信する。
【０１８８】
画面表示用データ選択入力受信部６７２は、解析・評価結果提示フォーム６７３の項目が利用者により選択されると、その選択情報を受信し、選択された解析・評価結果の画面表示用データを画面表示用データ送信加工部９１に送る。
【０１８９】
画面表示用データ送信加工部９１では、利用者が要求した情報を整理された形で画面上に表示させるための加工を行い、データ送信部９２は加工処理された画面表示用データを利用者３１の端末装置４１へ送信する。
【０１９０】
送信された画面表示用データは、利用者３１の端末装置４１に表示され、かつ必要に応じてデータの一部あるいは全てを利用者３１の端末装置４１を介して利用者３１が持つ情報記憶装置に記録される。
【０１９１】
以上の一連の処理により、利用者３１は、必要な系統解析結果・評価結果を入手することができる。
【０１９２】
上述したように本実施の形態によれば、利用者が場所・時間に関係なく必要な系統解析が行え、短期間でその結果が評価付きで利用者へ届けることができると共に、電力系統解析の依頼者や実施者の利便性を大きく高めることが出来る。
【０１９３】
なお、本実施の形態に係る系統解析サービス提供サーバは、単一のサーバであったが、これに限らず、複数のサーバからなるシステムであってもよい。
【０１９４】
［第２の実施の形態］
図２４は、本発明の第２の実施の形態に係る系統解析情報提供システムの構成例を示す模式図である。
【０１９５】
本実施の形態に係る系統解析サービス提供システムは第１の実施の形態と同様に、系統解析サービス提供サーバ１と、当該系統解析サービス提供サーバ１と通信ネットワークで接続された利用者側３１の端末装置４１と、利用者側３２の端末装置４２とから構成されている。
【０１９６】
なお、前述した図面と同一の構成には同一符号を付してその詳細な説明を省略し、ここでは主として異なる部分に関して説明する。なお、以下の各実施の形態に関しても同様に重複した説明を省略する。
【０１９７】
本実施の形態に係る系統解析サービス提供サーバ１は、第１の実施の形態に係る系統解析サービス提供サーバの利用者情報受信部５内に問題入力部５２を追加し、かつ、情報受付・提示部６内に、系統解析関連情報提示部６１を追加し、かつ、解析・評価実行部７内に、問題分析・系統解析関連情報抽出部７１を追加し、かつ、情報格納部８内に、系統解析関連情報格納部８２および系統解析ツール格納部８６を追加した構成となっている。
【０１９８】
問題入力部５２は、図２５に示すように、問題入力フォーム送信部５２１と問題入力結果受信部５２２と問題入力フォーム記憶部５２６とから構成される。
【０１９９】
問題分析・系統解析関連情報抽出部７１は、図２６に示すように、問題分析実行部７１１および系統解析関連情報抽出部７１２から構成される。系統解析関連情報提示部６１は、図３０に示すように、系統解析関連情報提示フォーム作成部６１１と、画面表示用データ選択入力受信部６１２と、系統解析関連情報提示フォーム記憶部６１４とから構成される。
【０２００】
なお、本実施の形態に係る系統解析サービス提供システムを構成する各部は、ソフトウェア若しくはハードウェア又はソフトウェアとハードウェアとの組合わせの何れから構成されるものであってもよい。
【０２０１】
また、本実施の形態に係る系統解析サービス提供サーバは、予め記録媒体又は通信ネットワークを介してインストールされたプログラムによって動作が制御されるコンピュータによってその機能が実現される。
【０２０２】
なお、利用者３１または利用者３２は、各々が使用する端末装置４１または端末装置４２を通信ネットワーク２を介して系統解析サービス提供サーバ１に接続する。系統解析サービス提供サーバ１には、通信ネットワーク２を介して複数の利用者の端末装置が接続される。以下では、利用者３１を例として説明をする。
【０２０３】
なお、以下の説明では、利用者３１の端末装置４１から接続する場合を例として説明するが、これに限らず、利用者３２の端末装置４２から接続する場合も同様であることはいうまでもない。この場合、「利用者３１」を「利用者３２」に、「端末装置４１」を「端末装置４２」にそれぞれ読み替えるものとする。
【０２０４】
利用者３１により、系統解析サービス提供サーバ１に接続されると、利用者情報受信部５に自動的に繋がり、コンテンツ選択入力部５０が起動する。
【０２０５】
コンテンツ選択入力部５０の動用は図２で説明済みであるので省略するが、図２に示すコンテンツ選択入力フォーム５０４に、新たに「問題診断」のコンテンツが追加され、選択コンテンツ分岐部５０３では、選択情報が「問題診断」であった場合、問題入力部５２が起動される。
【０２０６】
問題入力フォーム送信部５２１は、問題入力部５２が起動されると、図３１に示されるように、問題入力フォーム５２３、問題入力フォーム５２４および問題入力確認一覧５２５のような入力フォームを問題入力フォーム記憶部５２６から読出し、当該読出した、問題入力フォーム５２３、問題入力フォーム５２４および問題入力確認一覧５２５のような入力フォームを利用者３１の端末装置４１に送信する。
【０２０７】
利用者３１は、問題入力フォーム５２３に記述されている質問に対して、用意された回答群から一つが選択し、［次へ］のボタンを押す。続いて、利用者は、問題入力フォーム５２４に記述されている質問に対して、用意された回答群から一つを選択する、というように、複数の問題入力フォームの質問に答えると、最後に、問題入力確認一覧５２５に、これまでの質問と選択した回答が一覧で表示される。入力内容に間違いがなければ利用者３１により［完了］ボタンが押される。
【０２０８】
ここで、問題入力フォームの質問内容は、図２７に示すような質問チャートに従って作成されており、利用者３１の選択した回答により質問内容と選択肢が変化する。
【０２０９】
問題入力結果受信部５２２は、利用者が入力した問題入力情報を受信し、問題分析・系統解析関連情報抽出部７１に送る。
【０２１０】
問題分析・系統解析関連情報抽出部７１では、図２６に示されるように、問題分析実行部７１１は、入力された問題入力情報から問題内容を、機器の容量や制御系定数の決定等、適切なパラメータ選定を目的とした解析を行う「定数セット」、新規発電設備等、新規機器の導入時において、既設の系統設備への影響評価を目的とした解析を行う「影響評価」、保護シーケンスや制御系構成の立案と検証、解析用機器モデルの構築を目的とした解析を行う「構造設計」、系統で発生する異常現象の再現と原因究明および発生メカニズムの解明を目的とした解析を行う「現象分析」、系統の安定限界の把握等を目的とした総合的な系統解析を行う「応用解析」、前記以外の電力系統に関する解析を行う「その他」の６つに分類し、適切な解析方法を選択する。これらの問題の分類結果および解析方法の選択結果を、系統解析関連情報抽出部７１２に送られる。
【０２１１】
より具体的には、図２９に示すように、問題分析実行部７１１は、質問１（Ｑ１）から順に、回答選択番号を並べてコード化し、そのコード値を、図２８に示す問題分析テーブルと照合し（ステップ７１１−１）、合致する行の解析分類と解析キーワードとを取り出す（ステップ７１１−２）。取り出した解析分類と解析キーワードとを系統解析関連情報抽出部に送る（ステップ７１１−３）。
【０２１２】
系統解析関連情報抽出部７１２は、系統解析関連情報格納部８２から、問題分類結果と解析方法選択結果に基づき、（１）解析プロセス、（２）適切な解析ツール、（３）推奨する解析条件および、ケーススタディ案、（４）解析費用の概略見積もり、（５）これまでの解析事例および（６）関連する解析技術情報を抽出し、これらの情報を系統解析関連情報提示部６１へ送り、解析ツール選定結果を解析シミュレーション実行部７３へ送る。
【０２１３】
具体的には、系統解析関連情報抽出部７１２は、［解析分類］と［解析キーワード］に基づき、系統解析関連情報格納部８２から（１）解析プロセス、（２）適切な解析ルール、（３）推奨する解析条件、およびケーススタディ案、（４）解析費用の概略見積り、（５）これまでの解析事例、および（６）関連する解析技術情報を読み出す。
【０２１４】
なお、系統解析関連情報格納部８２は、データベースであり、このデータベースには、過去の解析事例等を元にして、［解析分類］、［解析キーワード］と、（１）解析プロセス、（２）適切な解析ルール、（３）推奨する解析条件、およびケーススタディ案、（４）解析費用の概略見積り、（５）これまでの解析事例、および（６）関連する解析技術情報が予め関連付けられて記録されている。
【０２１５】
解析シミュレーション実行部７３は、第１の実施の形態で説明したように、利用者の実行要求に従ってシミュレーションを実行する際に、種々の目的で使用される系統解析・分析ツールが格納されている系統解析ツール格納部８６から、解析ツール選定結果と合致する解析ツールを取り出し実行する。
【０２１６】
系統解析関連情報提示部６１では、図３０に示されるように、系統解析関連情報提示フォーム作成部６１１は、図３２に示す系統解析関連情報提示フォーム６１３のような提示フォームを系統解析関連情報提示フォーム記憶部６１４から読出し、読み出した系統解析関連情報提示フォーム６１３を含むファイルを利用者３１の端末装置４１に送信する。
【０２１７】
画面表示用データ選択入力受信部６１２は、利用者により系統解析関連情報提示フォーム６１３の項目が選択されると、その選択情報を受信し、選択された問題分析および系統解析関連情報の画面表示用データを画面表示用データ送信加工部９１に送る。
【０２１８】
以降の動作および上記以外の動作に関しては、上述した第１の実施の形態に係る統解析情報提供サーバと同様であるので、ここでは記載を省略する。
【０２１９】
本実施の形態によれば、利用者が場所・時間に関係なく、利用者の抱える問題・課題を分析し、それらを解決するための適切な系統解析が行えると共に、短期間でその結果が評価付きで利用者へ届けることができ、また、電力系統解析の依頼者や実施者の利便性を大きく高めることが出来る。
【０２２０】
なお、本実施の形態に係る系統解析サービス提供サーバは、単一のサーバであったが、これに限らず、複数のサーバからなるシステムであってもよい。
【０２２１】
［第３の実施の形態］
図３３は、本発明の第３の実施の形態に係る系統解析サービス提供システムの全体構成図である。
【０２２２】
本実施の形態に係る系統解析サービス提供システムは第１の実施の形態と同様に、系統解析サービス提供サーバ１と、当該系統解析サービス提供サーバ１と通信ネットワーク２で接続された利用者側３１の端末装置４１と、利用者側３２の端末装置４２とから構成されている。
【０２２３】
なお、前述した図面と同一の構成には同一符号を付してその詳細な説明を省略し、ここでは主として異なる部分に関して説明する。
【０２２４】
本実施の形態に係る系統解析サービス提供サーバ１は、第１の実施の形態に係る系統解析サービス提供サーバの利用者情報受信部５内に解析プラン選択入力部５３を追加し、かつ、情報受付・提示部６内に、解析プラン実行情報提示部６２および解析プラン選択受付部６８を追加し、かつ、解析・評価実行部７内に、解析プラン実行情報抽出部７５を追加し、かつ、情報格納部８内に、解析プラン実行情報格納部８７を追加した構成となっている。
【０２２５】
解析プラン選択入力部５３は、図３４に示すように、解析プラン選択入力フォーム送信部５３１と、解析プラン選択結果受信部５３２と、解析プラン選択入力フォーム記憶部５３４とから構成される。
【０２２６】
解析プラン実行情報提示部６２は、図３５に示すように、解析プラン実行情報提示フォーム作成部６２１と、画面表示用データ選択入力受信部６２２と、解析プラン実行情報提示フォーム記憶部６２４とから構成される。
【０２２７】
利用者３１または利用者３２は、各々が使用する端末装置４１または端末装置４２を通信ネットワーク２を介して系統解析サービス提供サーバ１に接続する。
【０２２８】
この系統解析サービス提供サーバ１には、通信ネットワーク２を介して複数の利用者が接続される。以下では、利用者３１を例として説明する。
【０２２９】
なお、以下の説明では、利用者３１の端末装置４１から接続する場合を例として説明するが、これに限らず、利用者３２の端末装置４２から接続する場合も同様であることはいうまでもない。この場合、「利用者３１」を「利用者３２」に、「端末装置４１」を「端末装置４２」にそれぞれ読み替えるものとする。
【０２３０】
利用者３１は、系統解析サービス提供システム１に接続すると、利用者情報受信部５に自動的に繋がり、コンテンツ選択入力部５０が起動する。
【０２３１】
コンテンツ選択入力部５０の作用は図２で説明済みであるので省略するが、図２に示すコンテンツ選択入力フォーム５０４に新たに、「解析プラン選択」のコンテンツが追加され、選択コンテンツ分岐部５０３では、選択情報が「解析プラン選択」であった場合、解析プラン選択入力部５３が起動される。
【０２３２】
解析プラン選択入力部５３が起動されると、図３４に示されるように、解析プラン選択入力フォーム送信部５３１は、解析プラン選択入力フォーム５３３のような入力フォームを解析プラン選択入力フォーム記憶部５３４から読出し、当該読出した解析プラン選択入力フォーム５３３を
利用者３１の端末装置４１に送信する。
【０２３３】
利用者は、解析プラン選択入力フォーム５３３に記述されている＜プラン＞と＜実施形態＞に関し、用意された項目から、それぞれ一つを選択し、続いて、＜解析内容＞に、解析目的・目標等の概要を入力して、［送信］ボタンを押す。
【０２３４】
解析プラン選択結果受信部５３２は、利用者により選択された解析プラン選択結果情報を受信し、当該受信した解析プラン選択結果情報を解析プラン選択受付部６８に送る。
【０２３５】
解析プラン選択受付部６８は、利用者が選択した解析プラン選択結果情報に間違いがないかチェックして、そのデータを解析プラン実行情報抽出部７５に出力すると共に、顧客情報格納部８１に格納する。
【０２３６】
顧客情報格納部８１には、利用者ＩＤを参照して、当該解析に対して、解析プラン選択入力フォーム５３３のチェックボックスに相当する解析プランコード（１〜４）と実施形態コード（１〜３）、および解析内容が格納されている。
【０２３７】
解析プラン実行情報抽出部７５は、解析プランコード（１〜４）と実施形態コード（１〜３）および解析内容から取り出したキーワードを基にして、（１）解析用データ作成プロセス、（２）解析実行プロセス、（３）解析結果評価プロセス、（４）解析スケジュール等の解析プラン実行情報を、解析プラン実行情報格納部８７から取り出し、当該取り出した解析プラン実行情報を解析プラン実行情報提示部６２に送る。
【０２３８】
解析プラン実行情報提示部６２では、図３５に示されるように、解析プラン実行情報提示フォーム作成部６２１は、解析プラン実行情報提示フォーム６２３のような提示フォームを解析プラン実行情報提示フォーム記憶部６２４から読出し、当該読出した解析プラン実行情報提示フォーム６２３を利用者３１の端末装置４１に送信する。
【０２３９】
画面表示用データ選択入力受信部６２２は、利用者により解析プラン実行情報提示フォーム６２３の項目が選択されると、その選択情報を受信し、当該受信された、選択された解析プラン実行情報の画面表示用データを画面表示用データ送信加工部９１に送る。
【０２４０】
なお、以降の動作および上記以外の動作に関しては、前述した第１の実施の形態と同様であるので、ここでは、その説明を省略する。
【０２４１】
上述したように、本実施の形態によれば、利用者が場所・時間に関係なく、利用者が選択した解析プランで必要な系統解析が行え、短期間でその結果が評価付きで利用者に届けることができ、また、解析プランが選択形式であるため、利用者が解析費用を調整することができ、電力系統解析の依頼者や実施者の利便性を大きく高めることができる。
【０２４２】
なお、本実施の形態に係る系統解析サービス提供サーバは、単一のサーバであったが、これに限らず、複数のサーバからなるシステムであってもよい。
【０２４３】
［第４の実施の形態］
図３８は、本発明の第４の実施の形態に係る系統解析サービス提供システムの全体構成図である。
【０２４４】
本実施の形態に係る系統解析サービス提供システムは第１の実施の形態と同様に、系統解析サービス提供サーバ１と、当該系統解析サービス提供サーバ１と通信ネットワークで接続された利用者側３１の端末装置４１と、利用者側３２の端末装置４２とから構成されている。
【０２４５】
なお、前述した図面と同一の構成には同一符号を付してその詳細な説明を省略し、ここでは主として異なる部分に関して説明する。
【０２４６】
本実施の形態に係る系統解析サービス提供サーバ１は、第１の実施の形態に係る系統解析サービス提供サーバの情報受付・提示部６内に、入力データ補足情報提示部６４を追加し、かつ、解析・評価実行部７内に、入力データ補足実行部７２を追加し、かつ、情報格納部８内に、電力機器情報格納部８４を追加した構成となっている。
【０２４７】
入力データ補足実行部７２は、図３９に示すように、データ補足要否確認部７２１、分岐処理部７２２、補足対象データ特定部７２３、補足用データ選択部７２４、データ補足実行部７２５、および補足済みデータ登録部７２６から構成される。
【０２４８】
入力データ補足情報提示部６４は、図４０に示すように、入力データ補足情報提示フォーム作成部６４１と、画面表示用データ選択入力受信部６４２と、入力データ補足情報提示フォーム記憶部６４４と、画面表示用データ記憶部６４５とから構成される。
【０２４９】
利用者３１または利用者３２は、各々が使用する端末装置４１または端末装置４２を通信ネットワーク２を介して系統解析サービス提供サーバ１に接続する。
【０２５０】
系統解析サービス提供サーバ１には、通信ネットワーク２を介して複数の利用者が接続される。以下では、利用者３１を例として説明をする。
【０２５１】
なお、以下の説明では、利用者３１の端末装置４１から接続する場合を例として説明するが、これに限らず、利用者３２の端末装置４２から接続する場合も同様であることはいうまでもない。この場合、「利用者３１」を「利用者３２」に、「端末装置４１」を「端末装置４２」にそれぞれ読み替えるものとする。
【０２５２】
利用者３１は、系統解析サービス提供サーバ１に接続すると、利用者情報受信部５に自動的に繋がり、コンテンツ選択入力部５０が起動する。
【０２５３】
シミュレーション実行要求入力部５５は、利用者３１により解析シミュレーション実行が選択されると、起動する。そして、シミュレーション実行要求受付部６５までは、前述した第１の実施の形態で説明した流れで動作する。
【０２５４】
次に解析シミュレーション実行部７３は、前述した図１１に示した、解析用入力データ読込部７３１の実行の前に、図３９の入力データ補足実行部７２を起動する。
【０２５５】
入力データ補足実行部７２では、図３９及び図４６に示されるように、データ補足要否確認部７２１は、利用者が入力した系統解析用データを利用者解析データ格納部８３から読み込み（ステップ７２１−１）、発電機定数データや誘導機定数データ等で利用者からの不足データ指定がある場合、データ補足が必要と判断し、確認結果ｈに１をセットする。
【０２５６】
具体的には、系統解析用データを利用者解析データ格納部８３から読み込んだ（ステップ７２１−１）後、図４５に示す解析データ入力フォーム５４６で例えば「データ入力希望」がレ点チェックされている場合には、利用者がデータ補足を希望していると判断して（ステップ７２１−２）確認結果ｈに１をセットする（ステップ７２１−４）。
【０２５７】
一方、データ補足要否確認部７２１は、不足データが無い場合には、確認結果ｈに０をセットする。
【０２５８】
具体的には、図４５に示す解析データ入力フォーム５４６で例えば「データ入力希望」がレ点チェックされていなければ、利用者がデータ補足を希望していないと判断して（ステップ７２１−２：Ｎｏ）確認結果ｈに０をセットする（ステップ７２１−３）。
【０２５９】
分岐処理部７２２は、ｈ＝０ならば、補足対象データ特定部７２３の処理を実行する。
【０２６０】
具体的には、分岐処理部７２２は、データ補足要否確認部７２１でセットされた確認結果ｈの値をチェックして、ｈ＝１ならば、補足対象データ特定部の処理に進む。ｈ＝０ならば、補足対象データ特定部７２３、補足用データ選択部７２４、データ補足実行部７２５、補足済入力データ登録部７２６を実行せずに、入力データ補足実行部７２の処理を終了する。
【０２６１】
補足対象データ特定部７２３は、データ補足要否確認部７２１からのデータ補足対象情報を基にして、データ補足対象機器および補足データを選択するために必要な代表データ、例えば、発電機ならば機器定格容量や発電機タイプ（火力、水力、原子力等）等を特定する。
【０２６２】
換言すれば、補足対象データ特定部７２３は、データの捕足が必要か否かを判定し（ステップ７２３−２）、この結果、データの補足が必要と判定した場合に、補足対象データとして設備ＩＤを補足対象ＩＤに登録する（ステップ７２３−５）。一方、補足対象データ特定部７２３は、データの補足が不要と判定した場合、データの不備をチェックし（ステップ７２３−３）、しかる後、データに不備があるか否かの判定を行う（ステップ７２３−４）。データに不備がある場合には（ステップ７２３−４：Ｙｅｓ）補足対象データ特定部７２３は、ステップ７２３−５に移行し、データに不備がない場合には、そのまま動作を終了する。このループを設備・機器データの数になるまで繰り返す。
【０２６３】
具体的には、利用者が入力した電力系統を構成する設備・機器データ（例えば、母線、送電線、発電機など）において、図４５の解析データ入力フォーム５４６の例に示すように、設備・機器毎（図４５の例では発電機毎）に「データ補足要否」をチェックする項目があり、利用者はデータ補足が必要な機器にはレ点がチェックされている。この「データ補足要否」の状態をチェックして、データ補足が必要な機器は、データ補足の対象機器として、設備ＩＤ（データの識別に利用する数値）を補足対象ＩＤに登録する。データ補足が不要な機器であっても、機器データをチェックして足りないデータがあれば、データ補足の対象として設備ＩＤを補足対象ＩＤに登録する。
【０２６４】
以上の処理を、利用者が入力した電力系統を構成する設備・機器データ全てに対して行い、データ補足が必要な設備・機器の設備ＩＤのみが登録された補足対象ＩＤを最終的に得る。
【０２６５】
次に、補足用データ選択部７２４は、データ補足対象機器および補足データを選択するために必要な代表データを基にして、電力機器情報格納部８４から、対象となる電力機器のデータを取り出し、データ補足実行部７２５に送る。
【０２６６】
換言すれば、補足用データ選択部７２４は、図４８に示すように、データ補足対象箇所および補足方法の決定を行い（ステップ７２４−２）、しかる後、補足用データを電気機器情報格納部８４から検索する（ステップ７２４−３）。その後、補足用データ選択部７２４は、補足用データがあるか否かを判定を行う（ステップ７２４−４）。当該判定の結果、補足用データがあると判定した場合（ステップ７２４−４：Ｙｅｓ）、補足対象ＩＤに対し、「補足可能」の状態を記録し、補足用データを変数に記録する（ステップ７２４−５）。
【０２６７】
一方、補足用データ選択部７２４は、前述した判定の結果、補足用データがないと判定した場合（ステップ７２４−４：Ｎｏ）、補足対象ＩＤに対し、補足不可の状態を記録し、エラー数のカウントアップをする（ステップ７２４−６）。このループをデータの補足対象ＩＤの数まで繰り返す。
【０２６８】
例えば、補足対象データ特定部７２３で得たデータ補足対象ＩＤに登録された機器データについて、機器毎にデータ補足の対象箇所、例えば、図４５の発電機の例では、Ｇ２、Ｇ３は発電装置の種別と定格容量、定格出力は入力されているが、シミュレーションで必要なリアクタンスデータが入力されていない。そこで、ここの処理では、発電装置種別と定格容量がありリアクタンスデータがないことを確認して、データ補足対象箇所を発電機のリアクタンスデータとし、補足方法を発電装置種別と定格容量からデータベースより合致する機器データの検索およびリアクタンスデータの補足、と決定する。この部分のアルゴリズムは、利用者が入力した機器データのあらゆる状況を場合分けし、データの状況によって分岐させて、補足対象箇所と補足方法を決定するものである。別な方法としては、知識データベースを用いた方法もある。
【０２６９】
決定した補足方法に従って、補足用データを電力機器情報格納部８４から検索する。電力機器情報格納部８４は、図４１に示すように、電力系統を構成する設備や機器のデータが予め登録されている。
【０２７０】
これらのデータは、製造メーカや機器の試験成績書から得た情報や、過去に行ったシミュレーション解析で用いたデータを人手で入力、登録する。
【０２７１】
補足用データを検索した結果、合致するデータがあった場合には、補足対象ＩＤの機器に対して、「補足可能」な状態であることと、補足対象箇所をＣＰＵメモリに記録し、補足用データを配列変数に記録する。
【０２７２】
補足用データを検索した結果、合致するデータがなかった場合には、補足対象ＩＤの機器に対して、「補足不可」な状態であることを記録し、エラーカウントを１つアップさせる。
【０２７３】
以上の処理を補足対象ＩＤに登録された機器全てに対して実行する。
【０２７４】
図４３及び４４は、電力系統動特性解析ツールの入力データフォーマットの一例を示す模式図である。ここに示す例では、母線データ、送電線データ、変圧器データ、同期発電機データ、誘導機データ、変動負荷データ、機器制御系データ、負荷静特性データ、解析条件データ、及び擾乱シーケンス設定データが示されている。
【０２７５】
データ補足実行部７２５は、対象機器の解析用データを、補足用データ選択部７２４から送られてきたデータを置き換えて、系統解析用データを再構成する。
【０２７６】
すなわち、データ補足実行部７２５は、図４９に示すように、補足可能か否かの判定を行い（ステップ７２５−２）、この判定の結果、補足可能と判定すると、補足対象ＩＤの機器に対して、補足データに対応した補足方法でデータを補足する（ステップ７２５−３）。このループをデータの補足対象ＩＤの数だけ繰り返す。そのループ終了後、又はステップ７２５−２で補足不可能と判定した場合に、解析ツールの入力データフォーマットに合わせて、データ補足後の設備・機器データを作成する（ステップ７２５−４）。
【０２７７】
例えば、データ補足対象ＩＤに登録された機器データについて、機器毎に「補足可能」であるか「補足不可」であるかをチェックし、「補足可能」であれば、補足対象ＩＤの機器に対して、前述の補足データ用選択部７２４で配列変数に記録した補足用データを取出し、補足対象データ特定部７２３で特定したデータ補足箇所に組み入れる。例えば、図４５の発電機の例では、前述した補足対象データ特定部７２３で特定したＧ２、Ｇ３のリアクタンスデータの部分に、補足用データを書き込むことで、シミュレーション解析が可能な発電機データとなる。データの補足方法は機器毎に複数用意されている。例えば、送電線データでは、利用者が入手しているデータが送電線の種類と長さで有る場合には、送電線種類から、単位距離（例えば１ｍ）のリアクタンス値データ等を電力機器情報格納部８４取出し、その値に長さを乗算してリアクタンス値を求め、補足対象箇所に書き込む。
【０２７８】
以上の処理を補足対象ＩＤに登録された機器全てに対して実行する。「補足可能」な全ての機器についてデータ補足が終了した後、使用される解析ツールの入力データフォーマットに合わせて、データ補足後の機器データを作成する。
【０２７９】
以上の処理を補足対象ＩＤに登録された機器全てに対して実行する。「補足可能」な全ての機器についてデータ補足が終了した後、使用される解析ツールの入力データフォーマットに合わせて、データ補足後の機器データを作成する。
【０２８０】
補足済入力データ登録部７２６は、再構成された解析用データを一時的な記録領域へ記録し、解析シミュレーション実行部７３の解析用入力データ読込部７３１に処理を戻す。
【０２８１】
また、補足済入力データ登録部７２６は、入力データ補足情報提示部６４に補足対象機器や補足データ値などの補足データ情報を送る。
【０２８２】
換言すれば、補足済入力データ登録部７２６は、図５０に示すように、再構成された解析用入力データを利用者解析データ格納部に登録し（ステップ７２６−１）、しかる後、再構成された解析用データを図示しない一時的記録領域に記録する（ステップ７２６−２）。そして、データ補足の結果情報を利用者解析データ格納部８３に記録する（ステップ７２６−３）。
【０２８３】
例えば、データ補足実行部７２５で、データを補足され再構成された解析用入力データを、利用者解析データ格納部８３に新たに登録する。一つ前に登録されていた解析用入力データは履歴として残される。さらに、再構成された解析用入力データは解析ツールを実行する際に用いる図示しない一時記録領域にも記録される。また、データ補足で用いた情報（補足対象ＩＤの機器データや補足データ）は、利用者解析データ格納部８３に登録される。解析用入力データとデータ補足情報は一組のデータとして扱えるようにしておく。例えば、ファイル名称は同じで拡張子が違う、等の方法を用いる。
【０２８４】
入力データ補足情報提示部６４では、図４０に示されるように、入力データ補足情報提示フォーム作成部６４１は、図４２に示す入力データ補足情報提示フォーム６４３のような提示フォームを入力データ補足情報提示フォーム記憶部６４４から読出し、当該読出した入力データ補足情報提示フォーム６４３を含むファイルを利用者３１の端末装置４１へ送信する。
【０２８５】
画面表示用データ選択入力受信部６４２は、利用者により、入力データ補足情報提示フォーム６４３の項目が選択されると、その選択情報を受信し、当該受信された選択された入力データ補足情報の画面表示用データを画面表示用デー−タ記憶部６４５に記憶させると共に、画面表示用データ送信加工部９１に送る。
【０２８６】
以降の動作および上記以外の動作に関しては、前述した第１の実施の形態と同様であるので、ここでは、その説明を省略する。
【０２８７】
本実施の形態によれば、利用者が場所・時間に関係なく、必要最少限のデータ入力で、必要な系統解析が行え、短期間でその結果が評価付きで利用者へ届けることができ、電力系統解析の依頼者や実施者の利便性を大きく高めることができる。
【０２８８】
なお、本実施の形態に係る系統解析サービス提供サーバは、単一のサーバであったが、これに限らず、複数のサーバからなるシステムであってもよい。
【０２８９】
［第５の実施の形態］
図５１は、本発明の第５の実施の形態に係る系統解析サービス提供システムの全体構成図である。なお、前述した図面と同一の構成には同一符号を付してその詳細な説明を省略し、ここでは主として異なる部分に関して説明する。
【０２９０】
本実施の形態に係る系統解析サービス提供サーバの利用者情報受信部５、情報受付・提示部６、解析・評価実行部７、および情報格納部８は、第１〜第４の実施の形態に係る系統解析サービス提供サーバの利用者情報受信部５、情報受付・提示部６、解析・評価実行部７、および情報格納部８を組み合わせた構成となっている。
【０２９１】
利用者３１または利用者３２は、各々が使用する端末装置４１または端末装置４２を通信ネットワーク２を介して系統解析サービス提供サーバ１に接続する。
【０２９２】
系統解析サービス提供サーバ１には、通信ネットワーク２を介して複数の利用者が接続される。以下では、利用者３１を例として説明をする。
【０２９３】
なお、以下の説明では、利用者３１の端末装置４１から接続する場合を例として説明するが、これに限らず、利用者３２の端末装置４２から接続する場合も同様であることはいうまでもない。この場合、「利用者３１」を「利用者３２」に、「端末装置４１」を「端末装置４２」にそれぞれ読み替えるものとする。
【０２９４】
利用者３１は、系統解析サービス提供システム１に接続すると、利用者情報受信部５に自動的に繋がり、コンテンツ選択入力部５０が起動する。コンテンツ選択入力部５０では、図２に示すコンテンツ選択入力フォーム５０４に、「問題診断」および「解析プラン選択」の項目が追加されている。
【０２９５】
選択コンテンツ分岐部５０３では、利用者の選択情報の内容に従って、（１）顧客情報入力部５１、（２）解析データ入力部５４、（３）シミュレーション実行要求入力部５５、（４）解析結果表示・評価要求入力部５６、（５）問題入力部５２、  （６）解析プラン選択入力部５３のいずれかが起動される。
【０２９６】
以降は、前述した第１〜第４の実施の形態で説明した動作と同様であるので、ここでは、その説明を省略する。
【０２９７】
本実施の形態によれば、利用者が場所・時間に関係なく必要最少限のデータ入力で、利用者の抱える問題・課題を分析し、それらを解決するための適切で、かつ、利用者が選択した解析プランで系統解析が行え、短期間でその結果が評価付きで利用者へ届けることができ、また、解析プランが選択形式であるため利用者が解析費用を調整することができ、電力系統解析の依頼者や実施者の利便性を大きく高めることが可能な系統解析サービス提供システムを提供することができる。
【０２９８】
なお、本実施の形態に係る系統解析サービス提供サーバは、単一のサーバであったが、これに限らず、複数のサーバからなるシステムであってもよい。
【０２９９】
［第６の実施の形態］
図５２は、本発明の第６の実施の形態の全体構成図である。同図において、系統解析サービス提供方法１４は、機能選択プロセス２１、顧客情報処理プロセス１５、解析用データ設定プロセス１７、解析実行プロセス１８および解析結果提供プロセス１９を実行する。
【０３００】
機能選択プロセス２１は、機能選択入力プロセス２１１と選択機能実行プロセス２１２から成り、顧客情報処理プロセス１５は、顧客情報入力プロセス１５１と顧客情報格納プロセス１５２から成り、解析用データ設定プロセス１７は、解析データ入力プロセス１７１、解析データ受付プロセス１７２および利用者解析データ格納プロセス１７３から成り、解析実行プロセス１８は、シミュレーション実行要求入力プロセス１８１、シミュレーション実行要求受付プロセス１８２、解析シミュレーション実行プロセス１８３およびシミュレーション結果情報格納プロセス１８４から成り、解析結果提供プロセスは、解析結果表示・評価要求入力プロセス１９１、解析結果表示・評価要求受付プロセス１９２、解析結果表示加工・評価実行プロセス１９３および解析・評価結果提示プロセス１９４から成る。
【０３０１】
次に第６の実施の形態の作用に関し説明する。
【０３０２】
機能選択プロセス２１が実行されると、機能選択入力プロセス２１１は、図２のコンテンツ選択入力フォーム５０４のような選択入力フォームを利用者に提示して利用者の入力を待つ。利用者が機能を選択して入力するとその選択情報を受け付け、選択機能実行プロセス２１２へ情報を送る。選択機能実行プロセス２１２は、利用者が選択した情報に従って、顧客情報プロセス１５、解析用データ設定プロセス１７、解析実行プロセス１８および解析結果提供プロセス１９の一つあるいは複数を連続して実行する。
【０３０３】
顧客情報処理プロセス１５が実行されると、顧客情報入力プロセス１５１は、図３の顧客情報入力フォーム５１３のような入力フォームを利用者に提示して、利用者が顧客情報を入力し終えるのを待つ。更新入力の場合は、利用者が事前に登録したユーザーＩＤ、パスワード等により、顧客認証を行う。情報入力が完了した後に、入力情報の誤りの有無に関しの確認メッセージを入力情報とともに利用者に提示する。利用者の確認が完了した後、入力された顧客情報は顧客情報格納プロセス１５２に送られる。顧客情報格納プロセス１５２は、入力された顧客情報を、図４に示すような形式で、計算機メモリのような記憶媒体または紙やフロッピーディスク、ハードディスク等の記録媒体に格納する。
【０３０４】
解析用データ設定プロセス１７が実行されると、解析データ入力プロセス１７１は、図５の処理選択入力フォーム５４３のような入力フォームを利用者に提示し、利用者の処理選択入力を待つ。
【０３０５】
処理選択情報の入力が完了後、その情報に従い、解析データ入力フォーム（表形式）５４４、あるいは解析データ入力フォーム（ＧＵＩ形式）５４５のような入力フォームを利用者に提示して、利用者が解析用データの入力あるいは解析用データの修正を終えるのを待つ。解析用データの入力あるいは修正が完了した後、入力あるいは修正された解析用データは、解析データ受付プロセス１７２に送られる。解析データ受付プロセス１７２は、入力あるいは修正された解析用データにおいて、（１）単独母線の有無、（２）分離系統の有無、（３）データの入力漏れの有無、（４）データ大小関係等のチェックを行う。解析用データに問題がない場合は、その解析データを利用者解析データ格納プロセス１７３に送る。解析用データに問題がある場合は、前記解析データに不備があるので、エラーメッセージとその内容を利用者へ通知し、利用者がその内容を確認した後、解析用データ入力プロセス１７１を再実行する。利用者解析データ格納プロセス１７３は、チェック済みの解析用データを、図７に示すような形式で、計算機メモリのような記憶媒体または紙やフロッピーディスク、ハードディスク等の記録媒体に格納する。
【０３０６】
解析実行プロセス１８が実行されると、シミュレーション実行要求入力プロセス１８１は、図８の実行条件入力フォーム５５３のような入力フォームを利用者に提示して、利用者が実行条件の入力あるいは修正を終えるのを待つ。実行条件の入力あるいは修正が完了した後、実行条件は、シミュレーション実行要求受付プロセス１８２に送られる。シミュレーション実行要求受付プロセス１８２は、入力された実行条件の中の計算条件を、（１）計算時間、計算刻みの適正有無、（２）収束条件（収束判定誤差や最大回数、加速係数など）の適正有無および（３）データ入力漏れの有無等の点からチェックする。また、解析条件を、（１）初期条件の適正有無、（２）擾乱条件の適正有無、（３）データ入力漏れの有無等の点からチェックする。ここで、初期条件の適正とは、母線状態や送電線状態等の矛盾点がないことであり、例えば、送電線が開放されているのに、潮流が流れているようなことを指す。擾乱条件の適正も、故障条件、送電線の開閉や機器の起動停止に物理的な矛盾点がないことを意味する。実行条件に問題がない場合は、その実行条件を解析シミュレーション実行プロセス１８３に送る。実行条件に問題がある場合は、エラーメッセージとその内容を利用者へ通知し、利用者がその内容を確認した後、シミュレーション実行要求入力プロセス１８１を再実行する。解析シミュレーション実行プロセス１８３は、解析用データを格納した記憶媒体または記録媒体から解析用データをとり込み、実行条件データとあわせて解析ツールの入力データを作成して、サーバー上あるいは計算専用の計算機で解析ツールを実行する。シミュレーション結果情報格納プロセス１８４は、解析シミュレーション実行プロセス１８３で得たシミュレーション結果情報を、前述した図２０に示すような形式で、計算機メモリのような記憶媒体または紙やフロッピーディスク、ハードディスク等の記録媒体に格納する。
【０３０７】
解析結果提供プロセス１９が実行されると、解析結果表示・評価要求入力プロセス１９１は、前述した図２１の結果表示・評価入力フォーム５６３のような入力フォームを利用者に提示して、利用者が結果表示・評価要求の入力あるいは修正を終えるのを待つ。結果表示・評価要求の入力あるいは修正が完了した後、解析結果表示・評価に関する入力情報は解析結果表示・評価要求受付プロセス１９２に送られる。解析結果表示・評価要求受付プロセス１９２は、利用者が入力した結果表示・評価に関する入力情報を、（１）表示項目の実行可否、（２）評価項目の実行可否および（３）データ入力漏れの有無等の点でチェックし、入力情報に問題がない場合は、その入力情報を解析結果表示加工・評価実行プロセス１９３に送る。入力情報に問題がある場合は、エラーメッセージとその内容を利用者へ通知し、利用者がその内容を確認した後、解析結果表示・評価要求入力プロセス１９１を再実行する。解析結果表示加工・評価実行プロセス１９３は、シミュレーション結果情報格納プロセス１８４で格納されたシミュレーション結果情報および実行条件をとり込み、利用者が選択した項目に従って、シミュレーション結果の分析およぶ評価を実行し、また、シミュレーション結果を、定量的に視覚的に表現するための解析結果データの組あせ選択や計算結果の取り込み等を行う。表示および評価結果に問題がある場合は、エラーメッセージとその内容を利用者へ通知し、利用者がその内容を確認した後、解析結果表示・評価要求入力プロセス１９１を再実行する。表示および評価結果に問題がない場合は、解析・評価結果提示プロセス１９４が実行される。解析・評価結果提示プロセス１９４は、図２２の解析・評価結果提示フォーム６７３のような形式で利用者に提示して、利用者が選択するのを待つ。利用者が選択した後、選択された解析・評価結果情報を利用者に提示する。
【０３０８】
本実施の形態によれば、利用者が場所・時間に関係なく、必要な系統解析が行え、短期間でその結果が評価付きで利用者へ届けることができ、電力系統解析の依頼者や実施者の利便性を大きく高めることが可能な系統解析サービス提供方法を提供することができる。
【０３０９】
［第７の実施の形態］
図５３は、本発明の第７の実施の形態の全体構成図である。同図において、既に説明した図５２と同一の機能の要素には同一符号を付してその説明を省略する。図５３において、系統解析サービス提供方法１４は、図５２の各プロセスに加えて、問題分析プロセス１６を実行する点が特徴である。問題分析プロセス１６は、問題入力プロセス１６１、問題分析プロセス１６２、系統解析関連情報抽出プロセス１６３および系統解析関連情報提示プロセス１６４から成り、解析実行プロセス１８は、シミュレーション実行要求入力プロセス１８１、シミュレーション実行要求受付プロセス１８２、系統解析ツール選択プロセス１８５、解析シミュレーション実行プロセス１８３、およびシミュレーション結果情報格納プロセス１８４から成る。
【０３１０】
次に第７の実施の形態の作用に関し説明する。
【０３１１】
機能選択プロセス２１が実行されると、機能選択入力プロセス２１１は、図１３のコンテンツ選択入力フォーム５０４のような選択入力フォームを利用者に提示して利用者の入力を待つ。利用者が機能を選択して入力するとその選択情報を受け付け、選択機能実行プロセス２１２へ情報を送る。選択機能実行プロセス２１２は、利用者が選択した情報に従って、顧客情報プロセス１５、問題分析プロセス１６、解析用データ設定プロセス１７、解析実行プロセス１８および解析結果提供プロセス１９の一つあるいは複数を連続して実行する。
【０３１２】
問題分析プロセス１６が実行されると、問題入力プロセス１６１は、図３１の問題入力フォーム５２３、問題入力フォーム５２４および問題入力確認一覧５２５のような入力フォームを順番に利用者に提示し、それぞれの入力フォームで利用者の入力を待つ。利用者は問題入力フォームに記述されている質問に対して、用意された回答群から一つを選択し次の質問へ進む。利用者は複数の問題入力フォームの質問に答え、最後は問題入力確認一覧５２５にこれまでの質問と選択した回答が表示される。問題入力が完了後、問題入力情報は問題分析プロセス１６２へ送られる。
【０３１３】
なお、前記問題入力フォームの質問内容は、選択される回答によって幾つかに分岐し、次の質問内容も変化する。
【０３１４】
問題分析プロセス１６２は、入力された問題入力情報から問題内容を、機器の容量や制御系定数の決定等、適切なパラメータ選定を目的とした解析を行う「定数セット」、新規発電設備等、新規機器の導入時において、既設の系統設備への影響評価を目的とした解析を行う「影響評価」、保護シーケンスや制御系構成の立案と検証、解析用機器モデルの構築を目的とした解析を行う「構造設計」、系統で発生する異常現象の再現と原因究明および発生メカニズムの解明を目的とした解析を行う「現象分析」、系統の安定限界の把握等を目的とした総あ的な系統解析を行う「応用解析」、前記以外の電力系統に関する解析を行う「その他」の６つに分類し、適切な解析方法を選択する。これらの問題の分類結果および解析方法の選択結果は、系統解析関連情報抽出プロセス１６３に送られる。系統解析関連情報抽出プロセス１６３は、（１）解析プロセス、（２）適切な解析ツール、（３）推奨する解析条件およびケーススタディ案、（４）解析費用の概略見積もり、（５）これまでの解析事例および（６）関連する解析技術情報等が記録されている計算機メモリのような記憶媒体または紙やフロッピーディスク、ハードディスク等の記録媒体から、問題分類結果と解析方法選択結果に関連する情報を抽出し、これらの情報を系統解析関連情報提示プロセス１６４へ送る。系統解析関連情報提示プロセス１６４は、図３２の系統解析関連情報提示フォーム６１３のような提示フォームを利用者に提示して利用者の入力を待つ。利用者は系統解析関連情報提示フォーム６１３の項目を選択すると、その選択された項目の情報が利用者に提示される。
【０３１５】
解析実行プロセス１８が実行されると、シミュレーション実行要求入力プロセス１８１は、図１９の実行条件入力フォーム５５３のような入力フォームを利用者に提示して、利用者が実行条件の入力あるいは修正を終えるのを待つ。実行条件の入力あるいは修正が完了した後、実行条件は、シミュレーション実行要求受付プロセス１８２に送られる。シミュレーション実行要求受付プロセス１８２は、入力された実行条件の中の計算条件を、（１）計算時間、計算刻みの適正有無、（２）収束条件（収束判定誤差や最大回数、加速係数など）の適正有無および（３）データ入力漏れの有無等の点からチェックする。また、解析条件を、（１）初期条件の適正有無、（２）擾乱条件の適正有無、（３）データ入力漏れの有無等の点からチェックする。ここで、初期条件の適正とは、母線状態や送電線状態等の矛盾点がないことであり、例えば、送電線が開放されているのに、潮流が流れているようなことを指す。擾乱条件の適正も、故障条件、送電線の開閉や機器の起動停止に物理的な矛盾点がないことを意味する。実行条件に問題がない場合は、その実行条件を解析シミュレーション実行プロセス１８３に送る。実行条件に問題がある場合は、エラーメッセージとその内容を利用者へ通知し、利用者がその内容を確認した後、シミュレーション実行要求入力プロセス１８１を再実行する。
【０３１６】
系統解析ツール選択プロセス１８５は、系統解析関連情報抽出プロセス１６３で得た解析ツールの情報を基にして、種々の目的で使用される系統解析・分析ツールが格納された計算機メモリのような記憶媒体または紙やフロッピーディスク、ハードディスク等の記録媒体の中から選択して、その実行アドレスを解析シミュレーション実行プロセス１８３へ送る。解析シミュレーション実行プロセス１８３は、解析用データを格納した記憶媒体または記録媒体から解析用データをとり込み、実行条件データとあわせて解析ツールの入力データを作成して、サーバー上あるいは計算専用の計算機で、系統解析ツール選択プロセス１８５で選択された解析ツールを実行する。
【０３１７】
シミュレーション結果情報格納プロセス１８４は、解析シミュレーション実行プロセス１８３で得たシミュレーション結果情報を、図２０に示すような形式で、計算機メモリのような記憶媒体または紙やフロッピーディスク、ハードディスク等の記録媒体に格納する。
【０３１８】
上記以外の作用に関しは、第６の実施の形態と同様である
本実施の形態によれば、利用者が場所・時間に関係なく、利用者の抱える問題・課題を分析し、それらを解決するための適切な系統解析が行え、短期間でその結果が評価付きで利用者へ届けることができ、また、電力系統解析の依頼者や実施者の利便性を大きく高めることが出来る。
【０３１９】
［第８の実施の形態］
図５４は、本発明の第８の実施の形態の全体構成図である。同図において、既に説明した図５２と同一の機能の要素には同一符号を付して、その説明を省略する。図５４において、系統解析サービス提供方法１４は、図５２の各プロセスに加えて、解析プラン決定プロセス２０を実行する点が特徴である。解析プラン決定プロセス２０は、解析プラン選択入力プロセス２０１、解析プラン選択受付プロセス２０２、解析プラン実行情報抽出プロセス２０３、解析プラン実行情報提示プロセス２０４から成る。
【０３２０】
次に第８の実施の形態の作用に関し説明する。
【０３２１】
機能選択プロセス２１が実行されると、機能選択入力プロセス２１１は、図１３のコンテンツ選択入力フォーム５０４のような選択入力フォームを利用者に提示して利用者の入力を待つ。利用者が機能を選択して入力するとその選択情報を受け付け、選択機能実行プロセス２１２へ情報を送る。選択機能実行プロセス２１２は、利用者が選択した情報に従って、顧客情報プロセス１５、解析プラン決定プロセス２０、解析用データ設定プロセス１７、解析実行プロセス１８および解析結果提供プロセス１９の一つあるいは複数を連続して実行する。
【０３２２】
解析プラン決定プロセス２０が実行されると、解析プラン選択入力プロセス２０１は、図３６の解析プラン選択入力フォーム５３３のような入力フォームを利用者に提示して、利用者の選択入力を待つ。利用者は解析プラン選択入力フォーム５３３に記述されている＜プラン＞と＜実施形態＞に関し、用意された項目から、それぞれ一つを選択し、続いて、＜解析内容＞に、解析目的・目標等の概要を入力する。利用者の選択入力が完了した後、利用者が選択した解析プラン選択結果情報は、解析プラン選択受付プロセス２０２へ送られる。解析プラン選択受付プロセス２０２は、利用者が選択した解析プラン選択結果情報に間違いがないかチェックして、そのデータを解析プラン実行情報抽出プロセス２０３に送る。同時に、利用者ＩＤを参照して、当該解析に対して解析プラン選択入力フォーム５３３のチェックボックスに相当する解析プランコード（１〜４）と実施形態コード（１〜３）および解析内容を計算機メモリのような記憶媒体または紙やフロッピーディスク、ハードディスク等の記録媒体に記録する。解析プラン実行情報抽出プロセス２０３は、解析プランコード（１〜４）と実施形態コード（１〜３）および解析内容から取り出したキーワードを基にして、（１）解析用データ作成プロセス、（２）解析実行プロセス、（３）解析結果評価プロセス、（４）解析スケジュール等が記録されている計算機メモリのような記憶媒体または紙やフロッピーディスク、ハードディスク等の記録媒体から、前記（１）〜（４）のような解析プラン実行情報を取り出し、解析プラン実行情報提示プロセス２０４へ送る。解析プラン実行情報提示プロセス２０４では、図３７の解析プラン実行情報提示フォーム６２３のような提示フォームを利用者に提示して利用者の選択入力を待つ。利用者が解析プラン実行情報提示フォーム６２３の項目のいくつかを選択すると、その選択情報を利用者に提示する。上記以外の作用に関しては、第６の実施の形態と同様である。
【０３２３】
本実施の形態によれば、利用者が場所・時間に関係なく、利用者が選択した解析プランで必要な系統解析が行え、短期間でその結果が評価付きで利用者に届けることができ、また、解析プランが選択形式であるため、利用者が解析費用を調整することができ、電力系統解析の依頼者や実施者の利便性を大きく高めることができる。
【０３２４】
［第９の実施の形態］
図５５は、本発明の第９の実施の形態の全体構成図である。同図において、既に説明した図５２と同一の機能の要素には同一符号を付して、その説明を省略する。図５５において、解析用データ設定プロセス１７は、解析データ入力プロセス１７１、解析データ受付プロセス１７２、利用者解析データ格納プロセス１７３、入力データ補足実行プロセス１７４および入力データ補足情報提示プロセス１７５から成る。
【０３２５】
次に第９の実施の形態の作用に関し説明する。
【０３２６】
機能選択プロセス２１が実行されると、機能選択入力プロセス２１１は、図１３のコンテンツ選択入力フォーム５０４のような選択入力フォームを利用者に提示して利用者の入力を待つ。利用者が機能を選択して入力するとその選択情報を受け付け、選択機能実行プロセス２１２へ情報を送る。選択機能実行プロセス２１２は、利用者が選択した情報に従って、顧客情報プロセス１５、解析用データ設定プロセス１７、解析実行プロセス１８および解析結果提供プロセス１９の一つあるいは複数を連続して実行する。
【０３２７】
解析用データ設定プロセス１７が実行されると、解析データ入力プロセス１７１は、図１６の処理選択入力フォーム５４３のような入力フォームを利用者に提示し、利用者の処理選択入力を待つ。
【０３２８】
処理選択情報の入力が完了後、その情報に従い、解析データ入力フォーム（表形式）５４４、あるいは解析データ入力フォーム（ＧＵＩ形式）５４５のような入力フォームを利用者に提示して、利用者が解析用データの入力あるいは解析用データの修正を終えるのを待つ。解析用データの入力あるいは修正が完了した後、入力あるいは修正された解析用データは、解析データ受付プロセス１７２に送られる。解析データ受付プロセス１７２は、入力あるいは修正された解析用データにおいて、（１）単独母線の有無、（２）分離系統の有無、（３）データの入力漏れの有無、（４）データ大小関係等のチェックを行う。解析用データに問題がない場合は、その解析データを利用者解析データ格納プロセス１７３に送る。解析用データに問題がある場合は、前記解析データに不備があるので、エラーメッセージとその内容を利用者へ通知し、利用者がその内容を確認した後、解析用データ入力プロセス１７１を再実行する。利用者解析データ格納プロセス１７３は、チェック済みの解析用データを、図２３に示すような形式で、計算機メモリのような記憶媒体または紙やフロッピーディスク、ハードディスク等の記録媒体に格納する。
【０３２９】
入力データ補足実行プロセス１７４では、利用者が入力した系統解析用データを計算機メモリのような記憶媒体または紙やフロッピーディスク、ハードディスク等の記録媒体から読み込み、発電機定数データや誘導機定数データ等で利用者からの不足データ指定がある場合、データ補足が必要と判断し、データ補足対象機器および補足データを選択するために必要な代表データ、例えば、発電機ならば機器定格容量や発電機タイプ（火力、水力、原子力等）等、を特定する。次に、データ補足対象機器および補足データを選択するために必要な代表データを基にして、図２４のような形式で電力機器情報が格納された計算機メモリのような記憶媒体または紙やフロッピーディスク、ハードディスク等の記録媒体から読み込み、対象となる電力機器のデータを取り出す。
【０３３０】
データを補う必要があると特定された対象電力機器の解析用データを、補足用データと置き換えて、系統解析用データを再構成する。さらに、この再構成された解析用データを一時的な記録領域へ記録し、力データ補足情報提示プロセス１７５に補足対象機器や補足データ値などの補足データ情報を送る。入力データ補足情報提示プロセス１７５は、図４２の入力データ補足情報提示フォーム６４３のような提示フォームを利用者へ提示して利用者の入力を待つ。利用者が入力データ補足情報提示フォーム６４３の項目のいくつかを選択すると、その選択情報を利用者に提示する。
【０３３１】
上記以外の作用に関しては、第６の実施の形態と同様である。
【０３３２】
本実施の形態によれば、利用者が場所・時間に関係なく、必要最少限のデータ入力で、必要な系統解析が行え、短期間でその結果が評価付きで利用者へ届けることができ、電力系統解析の依頼者や実施者の利便性を大きく高めることができる。
【０３３３】
［第１０の実施の形態］
図５６は、本発明の第１０の実施の形態の全体構成図である。同図において、既に説明した図５２、図５３、図５４および図５５と同一の機能の要素には同一符号を付して、その説明を省略する。図５６において、機能選択プロセス２１、顧客情報処理プロセス１５、問題分析プロセス１６、解析プラン決定プロセス２０、解析用データ設定プロセス１７、解析実行プロセス１８および解析結果提供プロセス１９は、第６〜第９の実施の形態を組みあわせた構成となっている。
【０３３４】
次に第１０の実施の形態の作用に関し説明する。
【０３３５】
機能選択プロセス２１が実行されると、機能選択入力プロセス２１１は、図１３のコンテンツ選択入力フォーム５０４のような選択入力フォームを利用者に提示して利用者の入力を待つ。利用者が機能を選択して入力するとその選択情報を受け付け、選択機能実行プロセス２１２へ情報を送る。選択機能実行プロセス２１２は、利用者が選択した情報に従って、顧客情報プロセス１５、問題分析プロセス１６、解析プラン決定プロセス２０、解析用データ設定プロセス１７、解析実行プロセス１８および解析結果提供プロセス１９の一つあるいは複数を連続して実行する。
【０３３６】
以降は、第６〜第９の実施の形態で説明した作用と同等である。
【０３３７】
本実施の形態によれば、利用者が場所・時間に関係なく必要最少限のデータ入力で、利用者の抱える問題・課題を分析し、それらを解決するための適切で、かつ、利用者が選択した解析プランで系統解析が行え、短期間でその結果が評価付きで利用者へ届けることができ、また、解析プランが選択形式であるため利用者が解析費用を調整することができ、電力系統解析の依頼者や実施者の利便性を大きく高めることが可能な系統解析サービス提供方法を提供することができる。
【０３３８】
［第１１の実施の形態］
図５７は、本発明の第１１の情報およびプログラムが記録された記録媒体の実施形態を示す図である。図５７において、２２は、第１〜第５の実施の形態で示した系統解析サービス提供システムを機能させるための情報とプログラムであり、利用者情報入力処理２２１、入力情報受付処理２２２、情報格納処理２２３、シミュレーション実行処理２２４、解析結果の評価実行処理２２５、結果表示形式加工処理２２６および情報送信処理２２７から構成され、一連の系統解析サービスを提供するために２２１から２２７までの処理を順番に実行する。２３は記録媒体の一例であるＣＤ−ＲＯＭである。
【０３３９】
次に第１１の実施の形態の作用に関し説明する。
【０３４０】
利用者情報入力処理２２１は、まず、利用者がコンテンツを選択する入力処理を行い、その選択内容に対応して、（１）顧客情報を入力する処理、（２）利用者が抱える問題を入力する処理、（３）利用者が望む解析プランを選択入力する処理、（４）解析に必要なデータを入力する処理、（５）シミュレーション解析の実行条件を入力する処理および（６）解析結果の表示や解析結果の評価を要求入力する処理を、それぞれ実行する。次に、入力情報受付処理２２２は、利用者情報入力処理２２１で実行された処理に連動して入力情報に不備がないかをチェックし、不備がある場合は、利用者にエラーメッセージとその内容を提示して、利用者情報入力処理２２１を再実行する。
【０３４１】
利用者からの入力情報に不備がなければ、情報格納処理２２３は、入力された情報の種類に応じて、（１）顧客情報の格納処理、（２）利用者が入力した解析用データの格納処理、（３）解析プラン選択情報の格納処理を、それぞれ実行する。シミュレーション解析実行処理２２４は、利用者が抱える問題入力情報に対応して適切な解析ツールを選択し、利用者がデータ不足であると指定した電力機器があればその機器の入力データを補い解析用データの再構成を行って、選択した解析ツールによるシミュレーション解析を実行する。解析結果の評価実行処理２２５は、利用者情報入力処理２２１で入力された解析結果の評価要求に対応して、解析結果の分析および評価を実行する。
【０３４２】
例えば、分析処理は、シミュレーション結果の時系列の電圧実効値データの変動周期や変動振幅をフーリエ分析等により算出する処理であり、評価処理は、その変動周期と変動振幅と利用者が指定した規準値あるいは目標値を比較して結果の良否を判定する等の処理である。なお、前記分析処理および評価処理はシステムオペレータの操作を介する処理も含まれる。
【０３４３】
結果表示形式加工処理２２６は、利用者情報入力処理２２１で入力された解析結果および評価結果の表示要求に対応して、結果の表示加工を実行する。例えば、時系列の電圧実効値データを横軸を時間、縦軸を電圧実効値としたグラフ表示データを作成する処理を実行する。情報送信処理２２７は、結果表示形式加工処理２２６で作成したグラフ表示データを利用者の端末装置へ送信する処理を実行する。上記作用の詳細は、第１から第５の実施の形態で説明した作用と同様である。
【０３４４】
以上の処理がＣＤ−ＲＯＭ２３、等の記録媒体に記録されている。記録媒体としては、フレキシブルディスク、ＭＯ、ハードディスク、磁気テープ、フラッシュメモリ等、電子情報が記録できるもの全てを対象とする。
【０３４５】
本実施の形態によれば、第１から第５の実施の形態に記載した系統解析サービス提供システムを、利用者が場所・時間に関係なく必要最少限のデータ入力で、利用者の抱える問題・課題を分析し、それらを解決するための適切で、かつ、利用者が選択した解析プランで系統解析が行え、短期間でその結果が評価付きで利用者へ届けることができ、また、解析プランが選択形式であるため利用者が解析費用を調整することができ、電力系統解析の依頼者や実施者の利便性を大きく高めることが可能な系統解析サービス提供システムとして機能させる情報とプログラムが記録された媒体を提供することができる。
【０３４６】
［第１２の実施の形態］
図５８は、本発明の第１２の情報およびプログラムが記録された記録媒体の実施形態を示す図である。図５８において、２４は、第６〜第１０の実施の形態で示した系統解析サービス提供方法を実行するための情報とプログラムであり、機能選択プロセス実行処理２４１、顧客情報処理プロセス実行処理２４２、解析用データ設定プロセス実行処理２４３、問題分析プロセス実行処理２４４、解析プラン決定プロセス実行処理２４５、解析実行プロセス実行処理２４６、解析結果提供プロセス実行処理２４７および情報送信処理２４８から構成され、一連の系統解析サービスを提供するために、機能選択プロセス実行処理２４１の結果に応じて２４２から２４７の処理を個別に実行する。２３は記録媒体の一例であるＣＤ−ＲＯＭである。
【０３４７】
次に第１２の実施の形態の作用に関し説明する。
【０３４８】
機能選択プロセス実行処理２４１は、利用者の選択入力を受け付け、その入力情報に応じて顧客情報処理プロセス実行処理２４２、解析用データ設定プロセス実行処理２４３、問題分析プロセス実行処理２４４、解析プラン決定プロセス実行処理２４５、解析実行プロセス実行処理２４６、解析結果提供プロセス実行処理２４７のうち一つの処理を実行する。
【０３４９】
顧客情報処理プロセス実行処理２４２は、第６の実施の形態で説明した顧客情報処理プロセス１５の作用を実行するプログラムである。解析用データ設定プロセス実行処理２４３は、第９の実施の形態で説明した解析用データ設定プロセス１７の作用を実行するプログラムである。問題分析プロセス実行処理２４４は、第７の実施の形態で説明した問題分析プロセス１６の作用を実行するプログラムである。解析プラン決定プロセス実行処理２４５は、第８の実施の形態で説明した解析プラン決定プロセス２０の作用を実行するプログラムである。解析実行プロセス実行処理２４６は、第７の実施の形態で説明した解析実行プロセス１８の作用を実行するプログラムである。解析結果提供プロセス実行処理２４７は、第６の実施の形態で説明した解析結果提供プロセス１９の作用を実行するプログラムである。上記、各処理の作用の詳細は請求項６から１０の実施の形態で説明した作用と同様である。以上の処理がＣＤ−ＲＯＭ２３等の記録媒体に記録されている。記録媒体としては、フレキシブルディスク、ＭＯ、ハードディスク、磁気テープ、フラッシュメモリ等、電子情報が記録できるもの全てを対象とする。
【０３５０】
本実施の形態によれば、第６から第１０の実施の形態に記載した系統解析サービス提供方法を、利用者が場所・時間に関係なく必要最少限のデータ入力で、利用者の抱える問題・課題を分析し、それらを解決するための適切で、かつ、利用者が選択した解析プランで系統解析が行え、短期間でその結果が評価付きで利用者へ届けることができ、また、解析プランが選択形式であるため利用者が解析費用を調整することができ、電力系統解析の依頼者や実施者の利便性を大きく高めることが可能な系統解析サービス提供方法として実行する、情報とプログラムが記録された媒体を提供することができる。
【０３５１】
なお、上記各実施の形態に記載した手法は、コンピュータに実行させることの出来るプログラムとして、磁気ディスク（フレキシブルディスク、ハードディスクなど）、光ディスク（ＣＤ−ＲＯＭ、ＤＶＤなど）、光磁気ディスク（ＭＯ）、半導体メモリなどの記憶媒体に格納して頒布することができる。
【０３５２】
また、この記憶媒体としては、プログラムを記憶でき、かつコンピュータが読み取り可能な記憶媒体であれば、その記憶形式は、何れの形態であっても良い。
【０３５３】
また、記憶媒体からコンピュータにインストールされたプログラムの指示に基づきコンピュータ上で稼動しているＯＳ（オペレーティングシステム）や、データベース管理ソフト、ネットワークソフト等のＭＷ（ミドルウェア）等が本発明の実施の形態を実現するための各処理の一部を実行しても良い。
【０３５４】
さらに、本発明の実施の形態における記憶媒体は、コンピュータと独立した媒体に限らず、ＬＡＮやインターネット等により伝送されたプログラムをダウンロードして記憶または一時記憶した記憶媒体も含まれる。
【０３５５】
また、記憶媒体は１つに限らず、複数の媒体から本発明の実施の形態における処理が実行される場合も本発明の実施の形態における記憶媒体に含まれ、媒体構成は何れの構成で有っても良い。
【０３５６】
なお、本発明におけるコンピュータは、記憶媒体に記憶されたプログラムに基づき、本実施の形態における各処理を実行するものであって、パソコン等の１つからなる装置、複数の装置がネットワーク接続されたシステム等の何れの構成であっても良い。
【０３５７】
また、本発明におけるコンピュータとは、パソコンに限らず、情報処理機器に含まれる演算処理装置、マイコン等も含み、プログラムによって本発明の機能を実現することが可能な機器、装置を総称している。
【０３５８】
なお、上記各実施の形態に記載した手法を実現するプログラムは、通信ネットワーク、例えばインターネットやイントラネット等を介して送信することによって提供することも出来る。
【０３５９】
この通信ネットワークを介したプログラムの提供方法としては、例えば、ＡＳＰ（Ａｐｐｌｉｃａｔｉｏｎ  Ｓｅｒｖｉｃｅ  Ｐｒｏｖｉｄｅｒ）によるものを包含する。
【０３６０】
なお、プログラムは、上記の機能を実現するものであれば、例えば、Ｃ（登録商標）、Ｃ＋＋（登録商標）、又はＪＡＶＡ（登録商標）、ＰＨＰ等、どのようなプログラミング言語で記載されたものであっても良い。
【０３６１】
なお、本発明は、上記各実施の形態に限定されるものでなく、実施段階ではその要旨を逸脱しない範囲で、種々に変形することが可能である。
【０３６２】
また、各実施の形態は、可能な限り適宜組み合わせて実施してもよく、その場合、組み合わされた効果が得られる。さらに、上記各実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【０３６３】
その他、本発明は、その要旨を逸脱しない範囲で種々変形して実施出来る。
【０３６４】
【発明の効果】
以上説明したように、本発明によれば、利用者が場所・時間に関係なく必要な系統解析が行え、短期間でその結果が評価付きで利用者へ届けることができると共に、電力系統解析の依頼者や実施者の利便性を大きく高めることが可能な系統解析サービス提供システム、方法、およびプログラムを記録した記録媒体を提供できる。
【０３６５】
さらに、本発明によれば、利用者が場所・時間に関係なく、必要最少限のデータ入力で、必要な系統解析が行え、短期間でその結果が評価付きで利用者へ届けることができ、電力系統解析の依頼者や実施者の利便性を大きく高めることが出来る。
【図面の簡単な説明】
【図１】本発明の第１の実施の形態に係る系統解析サービス提供システムの全体構成図。
【図２】本実施の形態に係る系統解析サービス提供システムのコンテンツ選択入力部５０の詳細構成を示す図。
【図３】本実施の形態に係る系統解析サービス提供システムの顧客情報入力部５１の詳細構成を示す図。
【図４】本実施の形態に係る系統解析サービス提供システムの解析データ入力部５４の詳細構成を示す図。
【図５】本実施の形態に係る系統解析サービス提供システムのシミュレーション実行要求入力部５５の詳細構成を示す図。
【図６】本実施の形態に係る系統解析サービス提供システムの解析結果表示・評価要求入力部５６の詳細構成を示す図。
【図７】本実施の形態に係る系統解析サービス提供システムの解析データ受付部６３の詳細構成を示す図。
【図８】本実施の形態に係る系統解析サービス提供システムのシミュレーション実行要求受付部６５の詳細構成を示す図。
【図９】本実施の形態に係る系統解析サービス提供システムの解析結果表示・評価要求受付部６６の詳細構成を示す図。
【図１０】本実施の形態に係る系統解析サービス提供システムの解析・評価結果提示部６７の詳細構成を示す図。
【図１１】本実施の形態に係る系統解析サービス提供システムの解析シミュレーション実行部７３の詳細構成を示す図。
【図１２】本実施の形態に係る系統解析サービス提供システムの解析結果表示加工・評価実行部７４の詳細構成を示す図。
【図１３】コンテンツ選択入力フォーム５０４の一例を示す模式図。
【図１４】顧客情報入力フォーム５１３の一例を示す模式図。
【図１５】本実施の形態に係る系統解析サービス提供システムの顧客情報格納部８１のデータ構成の一例を示す模式図。
【図１６】処理選択入力フォーム５４３の一例を示す模式図。
【図１７】解析データ入力フォーム５４４の一例を示す模式図。
【図１８】解析データ入力フォーム５４５の他の一例を示す模式図。
【図１９】実行条件入力フォーム５５３の一例を示す模式図。
【図２０】シミュレーション結果情報格納部に記憶されたシミュレーション結果情報テーブルの一例を示す模式図。
【図２１】本実施の形態の系統解析サービス提供システムの結果表示・評価入力フォーム５６３の一例を示す模式図。
【図２２】本実施の形態の解析・評価結果提示フォーム６７３の一例を示す模式図。
【図２３】本実施の形態の利用者解析データ格納部８３のデータ構成の一例を示す模式図。
【図２４】本発明の第２の実施の形態に係る系統解析サービス提供システムの全体構成図。
【図２５】本実施の形態の系統解析サービス提供システムの問題入力部５２の詳細構成を示す図。
【図２６】本実施の形態の系統解析サービス提供システムの問題分析・系統解析関連情報抽出部７１の詳細構成を示す図。
【図２７】質問チャートの一例を示す模式図。
【図２８】問題分析テーブルの一例を示す模式図。
【図２９】本実施の形態に係る問題分析実行部７１１の処理フローチャート。
【図３０】本実施の形態に係る系統解析サービス提供システムの系統解析関連情報提示部６１の詳細構成を示す図。
【図３１】問題入力フォーム５２３、問題入力フォーム５２４および問題入力確認一覧５２５の一例を示す図。
【図３２】系統解析関連情報提示フォーム６１３の一例を示す図。
【図３３】本発明の第３の実施の形態に係る系統解析サービス提供システムの全体構成図。
【図３４】本実施の形態に係る系統解析サービス提供システムの解析プラン選択入力部５３の詳細構成を示す図。
【図３５】本実施の形態に係る系統解析サービス提供システムの解析プラン実行情報提示部６２の詳細構成を示す図。
【図３６】解析プラン選択入力フォーム５３３の一例を示す模式図。
【図３７】解析プラン実行情報提示フォーム６２３の一例を示す模式図。
【図３８】本発明の第４の実施の形態に係る系統解析サービス提供システムの全体構成図。
【図３９】本実施の形態に係る系統解析サービス提供システムの入力データ補足実行部７２の詳細構成を示す図。
【図４０】本実施の形態に係る系統解析サービス提供システムの入力データ補足情報提示部６４の詳細構成を示す図。
【図４１】本実施の形態の系統解析サービス提供システムの電力機器情報格納部８４のデータ構成の一例を示す図。
【図４２】入力データ補足情報提示フォーム６４３の一例を示す模式図。
【図４３】電力系統動特性解析ツールの入力データフォーマットの一例を示す模式図。
【図４４】電力系統動特性解析ツールの入力データフォーマットの一例を示す模式図。
【図４５】解析データ入力フォーム５４６の一例を示す模式図。
【図４６】本実施の形態の系統解析サービス提供システムのデータ補足要否確認部７２１の処理フローチャート。
【図４７】本実施の形態の系統解析サービス提供システムの補足データ特定部７２３の処理フローチャート。
【図４８】本実施の形態の系統解析サービス提供システムの補足用データ選択部７２４の処理フローチャート。
【図４９】本実施の形態の系統解析サービス提供システムのデータ補足実行部７２５の処理フローチャート。
【図５０】本実施の形態の系統解析サービス提供システムの補足済入力データ登録部７２６の処理フローチャート。
【図５１】本発明の第５の実施の形態に係る系統解析サービス提供システムの全体構成図。
【図５２】本発明の第６の実施の形態の全体構成図。
【図５３】本発明の第７の実施の形態の全体構成図。
【図５４】本発明の第８の実施の形態の全体構成図。
【図５５】本発明の第９の実施の形態の全体構成図。
【図５６】本発明の第１０の実施の形態の全体構成図。
【図５７】本発明の第１１の情報およびプログラムが記録された記録媒体の実施形態を示す図。
【図５８】本発明の第１２の情報およびプログラムが記録された記録媒体の実施形態を示す図。
【符号の説明】
１…系統解析サービス提供サーバ
２…通信ネットワーク
３１…利用者
３２…利用者
４１…端末装置
４２…端末装置
５…利用者情報受信部
６…情報受付・提示部
７…解析・評価実行部
８…情報格納部
９…情報送信部
１４…系統解析サービス提供方法
１５…顧客情報処理プロセス
１６…問題分析プロセス
１７…解析用データ設定プロセス
１８…解析実行プロセス
１９…解析結果提供プロセス
２１…機能選択プロセス
２２…情報とプログラム
２３…ＣＤ−ＲＯＭ
５０…コンテンツ選択入力部
５１…顧客情報入力部
５２…問題入力部
５３…解析プラン選択入力部
５４…解析データ入力部
５５…シミュレーション実行要求入力部
５６…解析結果表示・評価要求入力部
６１…系統解析関連情報提示部
６２…解析プラン実行情報提示部
６３…解析データ受付部
６４…入力データ補足情報提示部
６５…シミュレーション実行要求受付部
６６…解析結果表示・評価要求受付部
６７…解析・評価結果提示部
６８…解析プラン選択受付部
７１…問題分析・系統解析
７２…入力データ補足実行部
７３…解析シミュレーション実行部
７４…解析結果表示加工・評価実行部
７５…解析プラン実行情報抽出部
８１…顧客情報格納部
８２…系統解析関連情報格納部
８３…利用者解析データ格納部
８４…電力機器情報格納部
８５…シミュレーション結果情報格納部
８６…系統解析ツール格納部
８７…解析プラン実行情報格納部
９１…画面表示用データ送信加工部
９２…データ送信部
１５１…顧客情報入力プロセス
１５２…顧客情報格納プロセス
１６１…問題入力プロセス
１６２…問題分析プロセス
１６３…系統解析関連情報抽出プロセス
１６４…系統解析関連情報提示プロセス
１７１…解析データ入力プロセス
１７２…解析データ受付プロセス
１７３…利用者解析データ格納プロセス
１７４…入力データ補足実行プロセス
１７５…入力データ補足情報提示プロセス
１８１…シミュレーション実行要求入力プロセス
１８２…シミュレーション実行要求受付プロセス
１８３…解析シミュレーション実行プロセス
１８４…シミュレーション結果情報格納プロセス
１８５…系統解析ツール選択プロセス
１９１…解析結果表示・評価要求入力プロセス
１９２…解析結果表示・評価要求受付プロセス
１９３…解析結果表示加工・評価実行プロセス
１９４…解析・評価結果提示プロセス
２１１…機能選択入力プロセス
２１２…選択機能実行プロセス
２２１…利用者情報入力処理
２２２…入力情報受付処理
２２３…情報格納処理
２２４…シミュレーション実行処理
２２５…解析結果の評価実行処理
２２６…結果表示形式加工処理
２２７…情報送信処理
２４１…機能選択プロセス実行処理
２４２…顧客情報処理プロセス実行処理
２４３…解析用データ設定プロセス実行処理
２４４…問題分析プロセス実行処理
２４５…解析プラン決定プロセス実行処理
２４６…解析実行プロセス実行処理
２４７…解析結果提供プロセス実行処理
２４８…情報送信処理
５０１…コンテンツ選択入力フォーム送信部
５０２…コンテンツ選択入力受信部
５０３…選択コンテンツ分岐部
５０４…コンテンツ選択入力フォーム
５１１…顧客情報入力フォーム送信部
５１２…顧客情報入力受信部
５１３…顧客情報入力フォーム
５２１…問題入力フォーム送信部
５２２…問題入力結果受信部
５２３…問題入力フォーム１
５２４…問題入力フォーム２
５２５…問題入力結果一覧
５３１…解析プラン選択入力フォーム送信部
５３２…解析プラン選択結果受信部
５３３…解析プラン選択入力フォーム
５４１…解析データ入力フォーム送信部
５４２…解析データ入力受信部
５４３…処理選択入力フォーム
５４４…解析データ入力フォーム（表形式）
５４５…解析データ入力フォーム（ＧＵＩ形式）
５５１…実行条件入力フォーム送信部
５５２…実行条件入力情報受信部
５５３…実行条件入力フォーム
５６１…結果表示・評価入力フォーム送信部
５６２…結果表示・評価要求入力情報受信部
５６３…結果表示・評価入力フォーム
６１１…系統解析関連情報提示フォーム作成部
６１２…画面表示用データ選択入力受信部
６１３…系統解析関連情報提示フォーム
６２１…解析プラン実行情報提示フォーム作成部
６２２…画面表示用データ選択入力受信部
６２３…解析プラン実行情報提示フォーム
６３１…解析データ確認部
６３２…分岐処理部
６３３…解析データ受付登録部
６３４…エラー情報送信部
６５１…計算条件確認部
６５２…分岐処理部
６５３…解析条件確認部
６４１…入力データ補足情報提示フォーム作成部
６４２…画面表示用データ選択入力受信部
６４３…入力データ補足情報提示フォーム
６５４…分岐処理部
６５５…実行要求受付登録部
６５６…エラー情報送信部
６６１…要求事項確認部
６６２…分岐処理部
６６３…要求事項受付登録部
６６４…エラー情報送信部
６７１…解析・評価結果提示フォーム作成部
６７２…画面表示用データ選択入力受信部
６７３…解析・評価結果提示フォーム
７１１…問題分析実行部
７１２…系統解析関連情報抽出部
７２１…データ補足要否確認部
７２２…分岐処理部
７２３…補足対象データ特定部
７２４…補足用データ選択部
７２５…データ補足実行部
７２６…補足済みデータ登録部
７３１…解析用入力データ読込部
７３２…解析ツール実行部
７３３…分岐処理部
７３４…シミュレーション結果情報登録部
７３５…エラー情報送信部
７４２…シミュレーション結果情報取込部
７４２…評価要求実行部
７４３…分岐処理部
７４４…表示要求実行部
７４５…分岐処理部
７４６…結果表示・評価結果登録部
７４７…エラー情報送信部
７４８…エラー情報送信部
【図１】
2004173337.tif 000003
【図２】
2004173337.tif 000004
【図３】
2004173337.tif 000005
【図４】
2004173337.tif 000006
【図５】
2004173337.tif 000007
【図６】
2004173337.tif 000008
【図７】
2004173337.tif 000009
【図８】
2004173337.tif 000010
【図９】
2004173337.tif 000011
【図１０】
2004173337.tif 000012
【図１１】
2004173337.tif 000013
【図１２】
2004173337.tif 000014
【図１３】
2004173337.tif 000015
【図１４】
2004173337.tif 000016
【図１５】
2004173337.tif 000017
【図１６】
2004173337.tif 000018
【図１７】
2004173337.tif 000019
【図１８】
2004173337.tif 000020
【図１９】
2004173337.tif 000021
【図２０】
2004173337.tif 000022
【図２１】
2004173337.tif 000023
【図２２】
2004173337.tif 000024
【図２３】
2004173337.tif 000025
【図２４】
2004173337.tif 000026
【図２５】
2004173337.tif 000027
【図２６】
2004173337.tif 000028
【図２７】
2004173337.tif 000029
【図２８】
2004173337.tif 000030
【図２９】
2004173337.tif 000031
【図３０】
2004173337.tif 000032
【図３１】
2004173337.tif 000033
【図３２】
2004173337.tif 000034
【図３３】
2004173337.tif 000035
【図３４】
2004173337.tif 000036
【図３５】
2004173337.tif 000037
【図３６】
2004173337.tif 000038
【図３７】
2004173337.tif 000039
【図３８】
2004173337.tif 000040
【図３９】
2004173337.tif 000041
【図４０】
2004173337.tif 000042
【図４１】
2004173337.tif 000043
【図４２】
2004173337.tif 000044
【図４３】
2004173337.tif 000045
【図４４】
2004173337.tif 000046
【図４５】
2004173337.tif 000047
【図４６】
2004173337.tif 000048
【図４７】
2004173337.tif 000049
【図４８】
2004173337.tif 000050
【図４９】
2004173337.tif 000051
【図５０】
2004173337.tif 000052
【図５１】
2004173337.tif 000053
【図５２】
2004173337.tif 000054
【図５３】
2004173337.tif 000055
【図５４】
2004173337.tif 000056
【図５５】
2004173337.tif 000057
【図５６】
2004173337.tif 000058
【図５７】
2004173337.tif 000059
【図５８】
2004173337.tif 000060